(57)【要約】      （修正有）【課題】「魔除け」とか「反戦」とか「平和」というイメージを感じさせる形状に形成した身飾具を提供する。【解決手段】第一発射体形状形成体３０は先端部と本体部３２と後端部３３と略十字状形成手段Ｃ１０で構成され、次に第一発射体形状形成体３０には、略十字状形成手段Ｃ１０によって、本体部３２の任意の部位に第二発射体形状形成体４０の分離部Ｃ２１が着脱可能に嵌入可能になるように形成した着脱部Ｃ１１を設け、次に本体部３２には着脱部Ｃ１１に対向する部位に第二発射体形状形成体４０の分離部Ｃ２２が着脱可能に嵌入可能になるように形成した着脱部Ｃ１２を設け、さらに略十字状形成手段Ｃ１０の一つであり、着脱部Ｃ１１には分離本体部４２ａの装着部Ｃ２３が着脱部Ｃ１１と着脱可能になるように係着される係着部が形成され、着脱部Ｃ１２には分離本体部４２ｂの装着部Ｃ２４が着脱部Ｃ１２と着脱可能になるように係着される係着部が形成される。【選択図】図３
0003214782.tif 000002
【実用新案登録請求の範囲】
【請求項１】
武器や兵器として用いられる発射体を想起させる形状に形成させた発射体形状形成体を使用して、前記発射体を使用する行為を拒絶するイメージを想起させる形状に形成させた発射体使用拒絶体を用いて身飾具に形成させたことを特徴とする、発射体使用拒絶体を使用した身飾具。
【請求項２】
前記発射体使用拒絶体の形状が、少なくとも２つの前記発射体形状形成体を略十字状に交差させるように形成させたことを特徴とする、請求項１に記載の発射体使用拒絶体を使用した身飾具。
【請求項３】
前記発射体使用拒絶体の形状が、前記発射体形状形成体が先端部と後端部で構成され、少なくとも２つの前記発射体形状形成体の先端部同士を、当接させた形状や圧接させた形状や衝合させた形状の中から選択したり組合せたりすることを特徴とする、請求項１に記載の発射体使用拒絶体を使用した身飾具。
【請求項４】
武器や兵器として用いられる飛翔体を想起させる形状に形成させた飛翔体形状形成体を使用して、前記飛翔体を使用する行為を拒絶するイメージを想起させる形状に形成させた飛翔体使用拒絶体を用いて身飾具に形成させたことを特徴とする、飛翔体使用拒絶体を使用した身飾具。
【請求項５】
前記飛翔体使用拒絶体の形状が、少なくとも２つの前記飛翔体形状形成体を略十字状に交差させるように形成させたことを特徴とする、請求項４に記載の飛翔体使用拒絶体を使用した身飾具。
【請求項６】
前記飛翔体使用拒絶体の形状が、前記飛翔体形状形成体が先端部と後端部で構成され、少なくとも２つの前記飛翔体形状形成体の先端部同士を、当接させた形状や圧接させた形状や衝合させた形状の中から選択したり組合せたりすることを特徴とする、請求項４に記載の飛翔体使用拒絶体を使用した身飾具。
【考案の詳細な説明】
【技術分野】
【０００１】  本考案は、武器として用いられる発射体を想起させる形状に類似するように形成させた発射体形状類似体を使用した身飾具に関するものである。
また本考案は、武器として用いられる飛翔体を想起させる形状に類似するように形成させた飛翔体形状類似体を使用した身飾具に関するものである。
【背景技術】
【０００２】  従来から、殺傷や殺人や戦争用の道具として、銃弾や弾丸や砲弾などが一般的に知られており、これらは火薬や爆発性物質や燃焼性物質等を爆発エネルギーに変換して発射させる発射体として知られている。
また、和弓や洋弓や弩やボウガンで使用される矢は、弾力やバネ力等を発射エネルギーに変換して発射する発射体として、現代では主に競技や武具として利用されているが、古代では主要な兵器や武器として利用され、現代でも十分に殺傷可能な道具として知られている。【０００３】  また従来から、ミサイルは主に戦争用の道具として、ロケットは主に観測や宇宙開発の道具として、火薬や爆発性物質や燃焼性物質等を推進力に変換して発射させる発射体として、あるいは火薬や爆発性物質や燃焼性物質等を推進力に変換して飛翔させる飛翔体として、知られている。
ただし、ロケット技術は、軍事技術として開発されてきた経由があり、国によっては戦争用の道具としての側面が強いことが知られている。日本国でも、初期のロケット開発は東京大学を中心にして純粋な科学研究の一環として開発されてきて、近年になっても平和利用が主力であることに変わりはないが、防衛省の依頼で情報収集衛星を打ち上げるようになったことに関して、隣国からは「軍事用衛星」だという指摘を受けている。【０００４】  また、本願の出願人は、従来から銀で作られた弾丸（Ｗｉｋｉｐｅｄｉａで「銀の弾丸」を参照する）には、魔力を封じたり悪魔などを撃退できるとされることに関して興味を感じ、情報を集めていたが、例えば、グリム童話『二人兄弟』の中やスティーヴン・キングの代表作の一つ『ＩＴ』（文春文庫・全４巻）の中で「魔除け」として利用されたり、アニメ『名探偵コナン』の中で「黒の組織を壊滅させることのできる者」という意味を表す言葉として利用されたり、アニメ『機動戦士ガンダムＵＣバンデシネ』の中で「銀の弾丸」の名を冠するロボットが登場するようになったことにより、日本国においては「魔除け」として一般的に知られるようになってきたと判断し、「銀の弾丸」をモティーフにしたアクセサリーや身飾品を製品化することにし、まず、第１４類において平成１６年（２００４年）３月２４日に「シルバーブレット＼ＳＩＬＶＥＲＢＵＬＬＥＴ」という商標を出願し、平成１７年（２００５年）４月２２日に登録され登録商標となり、商標登録第４８５８５５３号を得た。
【考案の開示】
【考案が解決しようとする課題】
【０００５】  ところが本願出願人が、上述した登録商標を持つ「銀の弾丸」をモティーフにしたアクセサリーや身飾品の試作品を作成し、新潟県内で行われた展示会等で公開したところ、一般的な消費者や卸売業や販売店の人たちからは、予想外に戦闘的なイメージや武器としてのイメージの方が強いという反応を得た。
即ち、本願出願人が意図したように、「銀の弾丸」をモティーフにしたアクセサリーや身飾品に接した人たち約１００人の中で、「魔除け」とか「反戦」とか「平和」というイメージを感じる人たちの割合が約１割程度であったのである。【０００６】  そこで本願出願人は、平成２９年３月２５日時点で、インターネットサイトの「Ｇｏｏｇｌｅ」を用いて、日本人の反戦意識に関しての調査を試みて、以下の内容の記事を発見して記述した。（『ｏｐｅｎ．ｍｉｘｉ．ｊｐ（ｉｄ：３２８８２８６１）「自国を守る」「守らない」と答えた国民の割合を比べたらどうなる？』を参照すること。）
安全保障法制の議論も進んでいますが、集団的自衛権の行使容認を訴えられている、佐瀬昌盛氏（防大・名誉教授）は、日本の国防意識の低さについて、２０１２年の「正論」で、「もし戦争が起こったら国のために戦うか」という設問への返答を各国比較したら、「はい」と答えた人の比率が「世界で断トツに低い」と嘆かれていました。「２０００年が１５・６％、２００５年が１５・１％、２０１０年が１５・２％」であり、「低さで万年２位のドイツでさえ、「はい」回答は日本の倍程度はある」のだそうです。（２０１２／０３／２１産経新聞より引用）  実際のところ、どんなもんだろうと思い、このデータを出元の「世界価値観調査」（世界６０ヶ国以上での調査）で見てみました。
「もし戦争が起きたら、あなたは自分の国を守るために戦いますか？」
国名：「はい」／「いいえ」と答えた人の割合
日本：１５．２％  ／  ３８．７％
ドイツ：４０．９％  ／  ５３．４％
スペイン：２８．１％  ／  ５８．９％
アメリカ：５７．７％  ／  ４０．６％
スウェーデン：６９．４％  ／  ２２．０％
ロシア：５２．７％  ／  ２１．５％
韓国：６３．０％  ／  ３０．３％
台湾；８１．１％  ／  １４．４％
中国：７４．２％  ／  １９．５％【０００７】  上記の記事の内容が事実であれば、本願出願人が、段落［０００５］で指摘したように、展示会等で「銀の弾丸」に接した人たちの中で、「魔除け」とか「反戦」とか「平和」というイメージを感じる人たちの割合が約１割程度であったこととの関連性があると思われる。
従って本願出願人には、「弾丸」を想起させる物品を用いて、一般的な消費者に対して、「魔除け」とか「反戦」とか「平和」というイメージを感じさせる物品の開発を継続するためには、「銀の弾丸」以外の、新規の開発思想や技術的思想を取り込んだ物品開発の必要性や課題を求められるに至ったのである。【０００８】  本考案は、上記の課題を解決するために成されたものであり、武器や兵器として用いられる発射体や飛翔体を想起させる形状に形成させた物品を用いて、「魔除け」とか「反戦」とか「平和」というイメージを感じさせる形状に形成させた物品の提供を目的とする。
【課題を解決するための手段】
【００１０】  課題を解決するための第一の手段（請求項１を含む）は、武器や兵器として用いられる発射体を想起させる形状に形成させた発射体形状形成体を使用して、前記発射体を使用する行為を拒絶するイメージを想起させる形状に形成させた発射体使用拒絶体を用いて身飾具に形成させたことを特徴とする、発射体使用拒絶体を使用した身飾具を提供することである。【００１１】  課題を解決するための第一の手段で記載された発射体に関しては、一般的には、殺傷や殺人や戦争用の道具として、銃弾や弾丸や砲弾などが知られており、これらは火薬や爆発性物質や燃焼性物質等を爆発エネルギーに変換して発射させる発射体として知られている。また、和弓や洋弓や弩やボウガンで使用される矢は、弾力やバネ力等を発射エネルギーに変換して発射する発射体として、現代では主に競技や武具として利用されているが、古代では主要な兵器や武器として利用され、現代でも十分に殺傷可能な道具として知られている。
前記銃弾（ｂｕｌｌｅｔ）に関しては、一般的には、銃で攻撃する際、目標に当たって直接これを破壊する物体であり、その基本的な構成は、実際に飛んでいく「弾頭」と、それを飛ばすための火薬（「装薬」、「発射薬」とも言う）と、これらを収めるケースである「薬莢」から成ることが一般的に知られている。
また前記弾丸（ｂｕｌｌｅｔ）に関しては、銃や砲に使用され、それらから発射・推進して主に目標に物理的損傷を与える物体であり、材質や形状は用途により多岐にわたるが、基本的に鉛合金の弾芯に銅合金の被甲をかぶせた構造である。また前記弾丸の一般的な構成は、発射薬（パウダー）や銃用雷管（プライマー）と共に薬莢（ケース）に収められたものは実包（カートリッジＣａｒｔｒｉｄｇｅ）、弾薬（アムニションＡｍｍｕｎｉｔｉｏｎ、アモＡｍｍｏ）から成ることが知られている。
また前記砲弾（ｓｈｅｌｌ，ｃａｎｎｏｎｂａｌｌ）に関しては、一般的には大砲に使用される弾丸のこととして知られており、例えば日本国陸上自衛隊の定義では「口径２０ｍｍ以上の弾丸」のことで、それ未満のものを小火器弾薬とする。日本語の「砲弾」の場合は、大砲用の弾丸を広く含めるが、英語の″ｓｈｅｌｌ″は、本来は炸薬が詰まった種類のもののみを指し、炸薬が詰まっていない弾丸については″ｓｈｏｔ″と呼び分けていて、現在では炸薬の入っていない徹甲弾のようなものも、″ｓｈｅｌｌ″と呼んでいる。なお、１８６８年のサンクトペテルブルク宣言は、小口径の弾丸には炸薬を詰めることを制限しており、「量目４００ｇ以下」かつ「爆発性または燃焼性の物質を充てたる発射物」の使用を締約国間のみの戦争では禁止している。【００１２】  課題を解決するための第一の手段で記載された武器や兵器として用いられる発射体を想起させる形状に関しては、本願出願人は実際に武器や兵器として用いられる発射体を製作したいわけではないので、本明細書で記載した銃弾や弾丸や砲弾などに似ている物体や本明細書で記載した銃弾や弾丸や砲弾などに見える物体であれば、どんな形状でも構わないものとする。ただし、銃弾や弾丸の場合は、本明細書で記載した「弾頭」や「薬莢」が認識できるような形状に成形することに関しては製作者の任意とする。従って、課題を解決するための第一の手段（請求項１）で記載された発射体形状形成体の形状に関しては、銃弾や弾丸や砲弾などに似ていれば良い程度から「弾頭」や「薬莢」が認識できるような形状に成形したレベルや一見すると実物に見えるレベルの物体まで含まれるものとする。【００１３】  課題を解決するための第一の手段で記載された発射体使用拒絶体に関しては、本明細書で記載した発射体を使用する行為を拒絶するイメージに関して、前記発射体の少なくとも一部が破壊された状態を示す形状、前記発射体としてその構造の一部が機能しないことが一目瞭然の形状、前記発射体の使用を禁止する行為の形態化、前記発射体の使用を禁止する行為の図案化、の中から選択したり任意に組み合わせて用いても構わないものとする。
また前記発射体の少なくとも一部が破壊された状態を示す形状に関してより詳細に説明すると、前記発射体の少なくとも一部が物理的に潰れた状態を示す形状や前記発射体の少なくとも一部が物理的に変形した状態を示す形状や前記発射体の少なくとも一部位に欠損が生じた状態を示す形状や前記発射体の少なくとも一部位に切欠きが生じた状態を示す形状が含まれているものとする。
また前記発射体としてその構造の一部が機能しないことが一目瞭然の形状に関してより詳細に説明すると、前記発射体の少なくとも一部が物理的に折れた状態や前記発射体の少なくとも一部が物理的に割れた状態や前記発射体を構成する部位が明らかに欠損したと認められる状態や前記発射体を構成する部位が明らかに切欠きしたと認められる状態や前記発射体を構成する部位が明らかに変形したと認められる状態を示す形状が含まれているものとする。
また前記発射体の使用を禁止する行為の形態化に関してより詳細に説明すると、本考案を実施した物品に接した消費者の一部が前記発射体の使用を禁止する行為だと判断されるような形態であれば何でも構わないものとするが、子供でもそれが認識できるような形態が好ましい。
また前記発射体の使用を禁止する行為の図案化に関してより詳細に説明すると、本考案を実施した結果の図案を施した物品や本考案を実施した結果の図案を基にして作成した物品に接した消費者の一部が前記発射体の使用を禁止する行為だと判断されるような図案であれば何でも構わないものとするが、子供でもそれが認識できるような図案が好ましい。【００１４】  課題を解決するための第一の手段で記載された身飾具に関しては、本明細書では、一般的に装身具として知られている物品や工芸品などは全て含まれるものとする。また前記装身具に関しては、例えば帽子に着脱自在な手段を介して帽子を装飾するための物品や工芸品、例えば身体に着脱自在な手段を介して身体を装飾するための物品や工芸品、例えば衣装に着脱自在な手段を介して衣装を装飾するための物品や工芸品、例えば一般的に装飾用のブローチまたは止め具と称されている物品や工芸品、例えば一般的にメダルと称されている物品や工芸品、例えば一般的にバッジと称されている物品や工芸品、例えば一般的に耳輪とかイヤリングと称されている物品や工芸品、例えば一般的に指輪とか単にリングと称されている物品や工芸品、例えば一般的にネックレスと称されている物品や工芸品、例えば一般的にペンダントと称されている物品や工芸品、例えば一般的に十字架と称されている物品や工芸品、例えば一般的にロザリオと称されている物品や工芸品、などが一例として知られている。【００１５】  課題を解決するための第二の手段（請求項２を含む）は、前記発射体使用拒絶体の形状が、少なくとも２つの前記発射体形状形成体を略十字状に交差させるように形成させたことを特徴とする、請求項１（課題を解決するための第一の手段）に記載の発射体使用拒絶体を使用した身飾具を提供することである。【００１６】  課題を解決するための第二の手段で記載された、少なくとも２つの前記発射体形状形成体を略十字状に交差させるように形成させたことに関しては、本明細書で記載した発射体形状形成体を少なくとも２つ用いて、略十字状に交差させることで、例えば「×状」に形成すると、一見するとバツ印に見えることで、バツ印の持つイメージとして、例えば使用することへの禁止感や所有することへの禁止感や行動することへの禁止感を与える発射体形状「×状」形成体となり、前記発射体形状「×状」形成体を用いることで、本明細書で記載した発射体を使用することを禁止するようなイメージを形成させることが可能になり、その結果、本考案による物品に接した人たちの少なくとも一部には本明細書で記載した発射体の使用を禁止させるイメージを与えることが可能になる。
また例えば「十字状」に形成すると、一見すると十字架に見えることで、十字架はキリスト教のシンボルであり、例えば一般的には墓標や宗教用具としてのイメージであり、例えば墓標のイメージにより武器を葬るというメッセージ性を形成させることが可能になる発射体形状「十字状」形成体となり、例えば宗教用具のイメージにより平和のシンボルとしてのメッセージ性を形成させることが可能になる発射体形状「十字状」形成体となり、前記発射体形状「十字状」形成体を用いることで、その結果、本考案による物品に接した人たちの少なくとも一部には本明細書で記載した発射体の使用を禁止させるイメージを与えることが可能になる。【００１７】  課題を解決するための第三の手段（請求項３を含む）は、前記発射体使用拒絶体の形状が、前記発射体形状形成体が先端部と後端部で構成され、少なくとも２つの前記発射体形状形成体の先端部同士を、当接させた形状や圧接させた形状や衝合させた形状の中から選択したり組合せたりすることを特徴とする、課題を解決するための第一の手段（請求項１を含む）に記載の発射体使用拒絶体を使用した身飾具を提供することである。【００１８】  課題を解決するための第三の手段で記載された、少なくとも２つの前記発射体形状形成体の先端部同士に関しては、例えば２つの前記発射体形状形成体の先端部同士は第一発射体形状形成体の先端部と第二発射体形状形成体の先端部となり、本考案では第一発射体形状形成体先端部と第二発射体形状形成体先端部を当接させた形状や圧接させた形状や衝合させた形状の中から選択したり組合せたりすることとするものである。
そこで第一発射体形状形成体先端部と第二発射体形状形成体先端部を当接させた形状に関しては、一般的な意味では、第一発射体形状形成体先端部と第二発射体形状形成体先端部を当てた状態に接触させることを示すが、本考案では、第一発射体形状形成体先端部と第二発射体形状形成体先端部を当接させた結果、第一発射体形状形成体先端部と第二発射体形状形成体先端部の当接部は動けない状態で固着させた状態を示すものとし、その結果、第一発射体形状形成体と第二発射体形状形成体は固定された形状になっているので、この２つの発射体は使用が出来ない状態を意味していることになる。
次に第一発射体形状形成体先端部と第二発射体形状形成体先端部を圧接させた形状に関しては、一般的な意味では、第一発射体形状形成体先端部と第二発射体形状形成体先端部を圧することで部材を接着させることを示すが、本考案では、第一発射体形状形成体先端部と第二発射体形状形成体先端部を圧接させた結果、第一発射体形状形成体先端部と第二発射体形状形成体先端部の圧接部位が変形した状態で固着させた状態を示すものとし、その結果、第一発射体形状形成体と第二発射体形状形成体は一体化された形状になっているので、この２つの発射体は使用が出来ない状態を意味していることになる。
また第一発射体形状形成体先端部と第二発射体形状形成体先端部を衝合させた形状に関しては、一般的な意味では、第一発射体形状形成体先端部と第二発射体形状形成体先端部を衝き合わせることや部材と部材を付け合わせる場合を示すが、本考案では、第一発射体形状形成体先端部と第二発射体形状形成体先端部を衝き合わせた結果、第一発射体形状形成体先端部と第二発射体形状形成体先端部の衝合部位が変形したように見える状態に形成させたことを示すものとし、その結果、第一発射体形状形成体と第二発射体形状形成体は一体化された形状になっているので、この２つの発射体は使用が出来ない状態を意味していることになる。【００１９】  課題を解決するための第四の手段（請求項４を含む）は、武器や兵器として用いられる飛翔体を想起させる形状に形成させた飛翔体形状形成体を使用して、前記飛翔体を使用する行為を拒絶するイメージを想起させる形状に形成させた飛翔体使用拒絶体を用いて身飾具に形成させたことを特徴とする、飛翔体使用拒絶体を使用した身飾具を提供することである。【００２０】  課題を解決するための第四の手段で記載された飛翔体に関しては、一般的には、火薬や爆発性物質や燃焼性物質等を推進力に変換して発射させる発射体として、あるいは火薬や爆発性物質や燃焼性物質等を推進力に変換して飛翔させる飛翔体として、ミサイルやロケットなどが知られていて、例えば、ミサイルは主に戦争用の道具として、ロケットは主に観測や宇宙開発の道具として、用いられている。
また、課題を解決するための第四の手段（請求項４）で記載された武器や兵器として用いられる飛翔体を想起させる形状に関しては、本願出願人は実際に武器や兵器として用いられる飛翔体を製作したいわけではないので、本明細書で記載したミサイルやロケットなどに似ている物体や本明細書で記載したミサイルやロケットなどに見える物体であれば、どんな形状でも構わないものとする。【００２１】  課題を解決するための第四の手段で記載された飛翔体使用拒絶体に関しては、本明細書で記載した飛翔体を使用する行為を拒絶するイメージに関して、前記飛翔体が、壊れた状態、破壊された状態、飛翔体として機能しないことが一目瞭然の形状、飛翔体の使用を禁止する行為の形態化、飛翔体の使用を禁止する行為の図案化、の中から選択したり任意に組み合わせて用いても構わないものとする。
また前記飛翔体の少なくとも一部が破壊された状態を示す形状に関してより詳細に説明すると、前記飛翔体の少なくとも一部が物理的に潰れた状態を示す形状や前記飛翔体の少なくとも一部が物理的に変形した状態を示す形状や前記飛翔体の少なくとも一部位に欠損が生じた状態を示す形状や前記飛翔体の少なくとも一部位に切欠きが生じた状態を示す形状が含まれているものとする。
また前記飛翔体としてその構造の一部が機能しないことが一目瞭然の形状に関してより詳細に説明すると、前記飛翔体の少なくとも一部が物理的に折れた状態や前記飛翔体の少なくとも一部が物理的に割れた状態や前記飛翔体を構成する部位が明らかに欠損したと認められる状態や前記飛翔体を構成する部位が明らかに切欠きしたと認められる状態や前記飛翔体を構成する部位が明らかに変形したと認められる状態を示す形状が含まれているものとする。
また前記飛翔体の使用を禁止する行為の形態化に関してより詳細に説明すると、本考案を実施した物品に接した消費者の一部が前記飛翔体の使用を禁止する行為だと判断されるような形態であれば何でも構わないものとするが、子供でもそれが認識できるような形態が好ましい。
また前記飛翔体の使用を禁止する行為の図案化に関してより詳細に説明すると、本考案を実施した結果の図案を施した物品や本考案を実施した結果の図案を基にして作成した物品に接した消費者の一部が前記飛翔体の使用を禁止する行為だと判断されるような図案であれば何でも構わないものとするが、子供でもそれが認識できるような図案が好ましい。【００２２】  課題を解決するための第四の手段で記載された身飾具に関しては、本明細書では、一般的に装身具として知られている物品や工芸品などは全て含まれるものとする。また前記装身具に関しては、例えば帽子に着脱自在な手段を介して帽子を装飾するための物品や工芸品、例えば身体に着脱自在な手段を介して身体を装飾するための物品や工芸品、例えば衣装に着脱自在な手段を介して衣装を装飾するための物品や工芸品、例えば一般的に装飾用のブローチまたは止め具と称されている物品や工芸品、例えば一般的にメダルと称されている物品や工芸品、例えば一般的にバッジと称されている物品や工芸品、例えば一般的に耳輪とかイヤリングと称されている物品や工芸品、例えば一般的に指輪とか単にリングと称されている物品や工芸品、例えば一般的にネックレスと称されている物品や工芸品、例えば一般的にペンダントと称されている物品や工芸品、例えば一般的に十字架と称されている物品や工芸品、例えば一般的にロザリオと称されている物品や工芸品、などが一例として知られている。【００２３】  課題を解決するための第五の手段（請求項５を含む）は、前記飛翔体使用拒絶体の形状が、少なくとも２つの前記飛翔体形状形成体を略十字状に交差させるように形成させたことを特徴とする、課題を解決するための第四の手段（請求項４を含む）に記載の飛翔体使用拒絶体を使用した身飾具を提供することである。【００２４】  課題を解決するための第五の手段で記載された、少なくとも２つの前記飛翔体形状形成体を略十字状に交差させるように形成させたことに関しては、本明細書で記載した飛翔体形状形成体を少なくとも２つ用いて、略十字状に交差させることで、例えば「×状」に形成すると、使用することを禁止するようなイメージを形成させることが可能になり、本考案による物品に接した人たちに本明細書で記載した飛翔体の使用を禁止させるイメージを与えることが可能になる。また例えば「十字状」に形成すると、一見すると十字架に見えることで、十字架の持つ宗教的なイメージや平和のシンボルとしてのメッセージ性により、本考案による物品に接した人たちに本明細書で記載した飛翔体の使用を禁止させるイメージを与えることが可能になる。【００２５】  課題を解決するための第六の手段（請求項６を含む）は、前記飛翔体使用拒絶体の形状が、前記飛翔体形状形成体が先端部と後端部で構成され、少なくとも２つの前記飛翔体形状形成体の先端部同士を、当接させた形状や圧接させた形状や衝合させた形状の中から選択したり組合せたりすることを特徴とする、課題を解決するための第四の手段（請求項４を含む）に記載の飛翔体使用拒絶体を使用した身飾具を提供することである。【００２６】  課題を解決するための第六の手段で記載された、少なくとも２つの前記飛翔体形状形成体の先端部同士に関しては、例えば２つの前記飛翔体形状形成体の先端部同士は第一飛翔体形状形成体の先端部と第二飛翔体形状形成体の先端部となり、本考案では第一飛翔体形状形成体先端部と第二飛翔体形状形成体先端部を当接させた形状や圧接させた形状や衝合させた形状の中から選択したり組合せたりすることとするものである。
そこで第一飛翔体形状形成体先端部と第二飛翔体形状形成体先端部を当接させた形状に関しては、一般的な意味では、第一飛翔体形状形成体先端部と第二飛翔体形状形成体先端部を当てた状態に接触させることを示すが、本考案では、第一飛翔体形状形成体先端部と第二飛翔体形状形成体先端部を当接させた結果、第一飛翔体形状形成体先端部と第二飛翔体形状形成体先端部の当接部は動けない状態を示すものとし、その結果、第一飛翔体形状形成体と第二飛翔体形状形成体は固定された形状になっているので、この２つの飛翔体は使用が出来ない状態を意味していることになる。
次に第一飛翔体形状形成体先端部と第二飛翔体形状形成体先端部を圧接させた形状に関しては、一般的な意味では、第一飛翔体形状形成体先端部と第二飛翔体形状形成体先端部を圧することで部材を接着させることを示すが、
本考案では、第一飛翔体形状形成体先端部と第二飛翔体形状形成体先端部を圧接させた結果、第一飛翔体形状形成体先端部と第二飛翔体形状形成体先端部の圧接部は固まった状態を示すものとし、その結果、第一飛翔体形状形成体と第二飛翔体形状形成体は固着された形状になっているので、この２つの飛翔体は使用が出来ない状態を意味していることになる。
また第一飛翔体形状形成体先端部と第二飛翔体形状形成体先端部を衝合させた形状に関しては、一般的な意味では、第一飛翔体形状形成体先端部と第二飛翔体形状形成体先端部を衝き合わせることや部材と部材を付け合わせる場合を示すが、本考案では、第一飛翔体形状形成体先端部と第二飛翔体形状形成体先端部を衝き合わせた結果、第一飛翔体形状形成体先端部と第二飛翔体形状形成体先端部の衝合部は若干変形した状態を示すものとし、その結果、第一飛翔体形状形成体と第二飛翔体形状形成体は一体化された形状になっているので、この２つの飛翔体は使用が出来ない状態を意味していることになる。
【考案の効果】
【００２７】  本考案による発射体使用拒絶体を使用した身飾具や飛翔体使用拒絶体を使用した身飾具を一般的な消費者に提供することによって、これらを身に着けた人には「反戦」意識とか「平和」意識の向上に貢献し、本考案を身に着けた人への他者からの好感度も向上させることも可能になる。例えば、本考案を身に着けた人への印象は、平和的な人というイメージを与えることが可能になる。【００２８】  日本国には「魔除け」に関する物品の比較的大きなマーケットが存在しており、特許調査をしてみてもインターネットの検索サイトでの調査をしてみても類似商品が存在していなかったので、本考案による発射体使用拒絶体を使用した身飾具や飛翔体使用拒絶体を使用した身飾具を一般的な消費者に「魔除け」として提供することによって、新規性を感じさせる商品として一般的な消費者に対して注目度の高い商品を提供できる。【００２９】  近年になって、東アジア情勢の緊張度が増しており、例えば日本海の一部はある隣国が飛翔体の実験の対象にしているので、日本国国民の不安感が増大しているが、本考案による発射体使用拒絶体を使用した身飾具や飛翔体使用拒絶体を使用した身飾具を一般的な消費者に提供することによって、日本国国民の不安感の低減に貢献できる。【００３０】
【考案を実施するための最良の形態】
【００３２】  以下、本考案の実施の形態について、図１〜図２１に基づいて説明する。
図１は本考案の実施の形態例を示す概略説明図である。図２は本考案の実施の形態例を示す概略説明図である。図３は本考案の実施の形態例を示す概略説明図である。図４は本考案の実施の形態例を示す概略説明図である。図５は本考案の実施の形態例を示す概略説明図である。図６は本考案の実施の形態例を示す概略説明図である。図７は本考案の実施の形態例を示す概略説明図である。図８は本考案の実施の形態例を示す概略説明図である。図９は本考案の実施の形態例を示す概略説明図である。図１０は本考案の実施の形態例を示す概略説明図である。図１１は本考案の実施の形態例を示す概略説明図である。図１２は本考案の実施の形態例を示す概略説明図である。図１３は本考案の実施の形態例を示す概略説明図である。図１４ａは本考案の実施の形態例を示す概略説明図である。図１４ｂは本考案の実施の形態例を示す概略説明図である。図１５ａは本考案の実施の形態例を示す概略説明図である。図１５ｂは本考案の実施の形態例を示す概略説明図である。図１６ａは本考案の実施の形態例を示す概略説明図である。図１６ｂは本考案の実施の形態例を示す概略説明図である。図１７ａは本考案の実施の形態例を示す概略説明図である。図１７ｂは本考案の実施の形態例を示す概略説明図である。図１８ａは本考案の実施の形態例を示す概略説明図である。図１８ｂは本考案の実施の形態例を示す概略説明図である。図１９は本考案の実施の形態例を示す概略説明図である。図２０は本考案の実施の形態例を示す概略説明図である。図２１は本考案の実施の形態例を示す概略説明図である。
また上述した、図１〜図２１で示された実施の形態例で用いられる素材に関しては、木質係材料、プラスチック材料、金属材料、セラミックス材料、紙質係材料、天然繊維系材料、合成繊維系材料、などから選択して単独で用いたり組み合わせて用いても構わない。【００３３】  また上述した、図１〜図２１で示された実施の形態例で用いられる素材の形成手段に関しては、例えば木質係材料を形成させる一般的に知られた手段であれば何を用いても構わず、また例えばプラスチック材料を形成させる一般的に知られた手段であれば何を用いても構わず、また例えば金属材料を形成させる一般的に知られた手段であれば何を用いても構わず、また例えばセラミックス材料を形成させる一般的に知られた手段であれば何を用いても構わず、また例えば紙質係材料を形成させる一般的に知られた手段であれば何を用いても構わず、また例えば天然繊維系材料を形成させる一般的に知られた手段であれば何を用いても構わず、また例えば合成繊維系材料を形成させる一般的に知られた手段であれば何を用いても構わない。また上述した手段を単独で用いても組み合わせて用いても構わないものとする。例えば、近年では木質系の粉体を合成樹脂を用いて物品を形成させる手段が知られるようになってきた。
また例えば、金属材料を形成させる一般的に知られた手段としては、切削加工や鋳造や鍛造や金属プレス加工や放電加工などが一般的知られているが、これらを単独で用いても任意に組み合わせても構わないものとする。また近年では、少量加工で、高コストでも構わない場合には３Ｄプリンタによる加工方法も用いられるようになってきた。また例えば切削加工に関しては、切削刃物と機械や装置を用いて対象物を切り削る加工方法であり、一般的には、棒状材料を回転させ、それに切削刃物を接触させて削る方法や、固定させた材料に回転させた切削刃物を接触させて削る方法が知られており、前者加工法の代表例は旋盤で、後者のそれの代表例はマシニング機械と呼ばれている。例えば図３で示した実施例は、旋盤加工による加工例分解図である。また例えば鋳造に関しては、金属材料を融点よりも高い温度で熱して液体にしたあと、型に流し込み、冷やして目的の形状に固める加工方法であり、鋳造に使用する型のことを鋳型といい、鋳造でできた製品のことを鋳物という。また例えば、一般的に知られている、樹脂・プラスチック系の量産機械はインジェクションマシンと呼ばれており、このマシンは金属にも対応可能で、例えば金属系の鋳造方法は実に様々で、（量産に向く順に）以下にざっと挙げると、（ラバー）キャスト製法、砂型鋳金、蝋型鋳金、石膏型鋳金等々が知られている。また例えば鍛造に関しては、金属加工の塑性加工法の一種であり、金属をハンマー等で叩いて圧力を加える事で、金属内部の空隙をつぶし、結晶を微細化し、結晶の方向を整えて強度を高めると共に目的の形状に成形する手段であることが知られている。また例えば金属プレス加工に関しては、機械により工具を用いて金属材料を変形加工することであり、剪断、曲げ、絞り、張出し、鍛造、押出し、圧印など塑性加工全般を指すといえるが、一般に金属プレスもしくは単にプレスと言った場合は、プレス機械を用いて行う板金加工（板金プレス加工）であることが知られている。上述した金属材料を形成させる手段に関しては、単独で用いても組み合わせて用いても構わないものとする。
また本願明細書の中で記された、物品や物体や材料の加工手段や成型手段や成形手段や形成手段に関しては、単独で用いても組み合わせて用いても構わないものとする。
【実施例１】
【００３４】  まず初めに図１を用いて本明細書で示された発射体に関しての詳細な説明をすると、１０は一般的に用いられているライフル弾を模して製造される発射体形状形成体であり、発射体形状形成体１０は一般的に知られている木材類や金属材料や合成樹脂材料の中から選択して用いられるが、単独で用いても組み合わせて用いられても構わない。この実施例では発射体形状形成体１０は一見すると一般的に用いられているライフル弾に似ているように形成され、材質は金属材料を選択するが用いる金属の種類は本考案を実施する者に一任される。発射体形状形成体１０は、先端部は一般的に用いられているライフル弾の弾頭を模して形成される先端部１１と、本体部は一般的に用いられているライフル弾の薬莢本体を模して形成される本体部１２と、後端部は一般的に用いられているライフル弾の薬莢底部を模して形成される後端部１３で構成される。
次に２０は一般的に用いられているピストル弾を模して製造される発射体形状形成体であり、発射体形状形成体２０は一般的に知られている木材類や金属材料や合成樹脂材料の中から選択して用いられるが、単独で用いても組み合わせて用いられても構わない。この実施例では発射体形状形成体２０は一見すると一般的に用いられているピストル弾に似ているように形成され、材質は金属材料を選択するが用いる金属の種類は本考案を実施する者に一任される。発射体形状形成体２０は、先端部は一般的に用いられているピストル弾の弾頭を模して形成される先端部２１と、本体部は一般的に用いられているピストル弾の薬莢本体を模して形成される本体部２２と、後端部は一般的に用いられているピストル弾の薬莢底部を模して形成される後端部２３で構成され、先端部２１の頭頂部位である頭頂部２４は略半球体として形成される。
またこの実施例で示された考案の形成手段は、本願明細書中で記載された内容及び特に段落００３３に記載された内容の少なくとも一部を用いても構わないものとする。
【実施例２】
【００３５】  次に図１，図２，図３を用いて、課題を解決するための第一の手段と課題を解決するための第二の手段で記載された発射体使用拒絶体の実施の形態の一例を説明する。
まず本明細書で記載した発射体使用拒絶体が形成されるための構造を説明すると、３０は発射体形状形成体１０を２個用いて本明細書で記載した略十字状に形成させるための手段を設けた第一発射体形状形成体であり、Ｃ１０は第一発射体形状形成体３０に設けた略十字状に形成させるための手段であり、第一発射体形状形成体３０は先端部３１と本体部３２と後端部３３と略十字状形成手段Ｃ１０で構成され、次に第一発射体形状形成体３０には、略十字状形成手段Ｃ１０の一つとして、本体部３２の任意の部位に第二発射体形状形成体４０の分離部Ｃ２１が摺動しながら挿入可能になるように形成した開口部Ｃ１１を設け、次に本体部３２には開口部Ｃ１１に対向する部位に第二発射体形状形成体４０の分離部Ｃ２２が摺動しながら挿入可能になるように形成した開口部Ｃ１２を設け、４０は発射体形状形成体１０を２個用いて本明細書で記載した略十字状に形成させるための手段を設けた第二発射体形状形成体であり、Ｃ２０は第二発射体形状形成体４０に設けた略十字状に形成させるための手段であり、第二発射体形状形成体４０は先端部４１と本体部４２と後端部４３と略十字状形成手段Ｃ２０で構成され、次に第二発射体形状形成体４０は略十字状形成手段Ｃ２０によって本体部４２の任意の部位で分離されるように形成され、本体部４２の先端部４１を含む部位を分離する分離部Ｃ２１を介して形成された分離本体部４２ａと本体部４２の後端部４３を含む部位を分離する分離部Ｃ２２を介して形成された分離本体部４２ｂで構成される。
次に略十字状形成手段Ｃ２０の一つとして、分離部Ｃ２１の端部の近傍に分離部Ｃ２２の端部を着脱可能又は着脱不可になるよう固着するように形成される固着部Ｃ２３が形成され、次に略十字状形成手段Ｃ２０の一つとして、分離部Ｃ２２の端部の近傍に分離部Ｃ２１の端部を着脱可能又は着脱不可になるよう固着するように形成される固着部Ｃ２４が形成される。
またこの実施例で示された考案の形成手段は、本願明細書中で記載された内容及び特に段落００３３に記載された内容の少なくとも一部を用いても構わないものとする。
【実施例３】
【００３６】  次に、図１，図２，図３を用いて、課題を解決するための第一の手段と課題を解決するための第二の手段で記載された発射体使用拒絶体の実施の形態の一例を説明するが、特に発射体使用拒絶体（３０＋４０）が形成されるための手段の一つを説明すると、開口部Ｃ１１を介して分離部Ｃ２１を摺動しながら挿入させ固着部Ｃ２３が固着部Ｃ２４に当接したら先端部４１から分離部Ｃ２１の方向に人力や機械や冶具を介して押圧し、開口部Ｃ１２を介して分離部Ｃ２２を摺動しながら挿入させ固着部Ｃ２４が固着部Ｃ２３に当接したら後端部４３から分離部Ｃ２２の方向に人力や機械や冶具を介して押圧することで、固着部Ｃ２３と固着部Ｃ２４は互いに係合し一体化するように形成される。また、開口部Ｃ１１と開口部Ｃ１２の間は貫通孔であることを特徴とするが、開口部Ｃ１１と開口部Ｃ１２の間は貫通孔では無く、分離部Ｃ２１の少なくとも一部または（及び）分離部Ｃ２２の少なくとも一部が係止する部位が形成されていても構わない。
またこの実施例で示された考案の形成手段は、本願明細書中で記載された内容及び特に段落００３３に記載された内容の少なくとも一部を用いても構わないものとする。
【実施例４】
【００３７】  次に、図１，図２，図３を用いて、課題を解決するための第一の手段と課題を解決するための第二の手段で記載された発射体使用拒絶体の実施の形態の一例を説明するが、例えば分離本体部４２ａが第一発射体形状形成体３０に固定され分離本体部４２ｂが第一発射体形状形成体３０に固定されることで発射体使用拒絶体（３０＋４０）が形成される手段の一つを説明すると、固着部Ｃ２３と固着部Ｃ２４の関係が着脱可能であることが好ましい場合には、この２つの固着部の一方に螺旋状の凸状体を設け、この２つの固着部の他方に螺旋状の凸状体と一対になるように形成した螺旋状の凹状体を設け、固着部Ｃ２３と固着部Ｃ２４が螺着可能になるように形成しても構わない。
また、固着部Ｃ２３と固着部Ｃ２４を互いに係合し一体化するように形成される手段の一つとして、固着部Ｃ２３と固着部Ｃ２４の関係が着脱不可でも構わない場合には、固着部Ｃ２３の任意の部位と固着部Ｃ２４の任意の部位に所定量の接着性を備えた物質を設けることで、開口部Ｃ１１を介して分離部Ｃ２１を摺動しながら挿入させ固着部Ｃ２３が固着部Ｃ２４に当接したら先端部４１から分離部Ｃ２１の方向に比較的弱い力で押圧し、開口部Ｃ１２を介して分離部Ｃ２２を摺動しながら挿入させ固着部Ｃ２４が固着部Ｃ２３に当接したら後端部４３から分離部Ｃ２２の方向に比較的弱い力で押圧しても、固着部Ｃ２３と固着部Ｃ２４は着脱不可に固着されることで、分離本体部４２ａが第一発射体形状形成体３０に固定され分離本体部４２ｂが第一発射体形状形成体３０に固定され発射体使用拒絶体（３０＋４０）が形成される。
またこの実施例で示された考案の形成手段は、本願明細書中で記載された内容及び特に段落００３３に記載された内容の少なくとも一部を用いても構わないものとする。
【実施例５】
【００３８】  次に、図１，図２，図４を用いて、課題を解決するための第一の手段（請求項１を含む）と課題を解決するための第二の手段（請求項２を含む）で記載された発射体使用拒絶体の実施の形態の一例を説明する。
まずＪ１０は、例えば図１で示した発射体形状形成体１０を２つ用いるものとして、その内の一つからイメージされ形成した発射体形状形成体Ｊ１１と、他の一つからイメージされ形成した発射体形状形成体Ｊ１２を用いて、発射体形状形成体Ｊ１１の使用を発射体形状形成体Ｊ１２を用いて使用する行為を拒絶する形状として略十字状に交差させるように形成させた場合と、発射体形状形成体Ｊ１２の使用を発射体形状形成体Ｊ１１用いて使用する行為を拒絶する形状として略十字状に交差させるように形成させた場合と、を示している。
またＪ１０は、例えば図２で示した発射体使用拒絶体（３０＋４０）を模した形状で形成させた発射体使用拒絶体を示している。また発射体使用拒絶体Ｊ１０の成形手段や成型手段は何を用いても構わないものとする。
またＪ１３は、発射体使用拒絶体Ｊ１０の発射体形状形成体Ｊ１１と発射体形状形成体Ｊ１２を略十字状に交差させた状態である略十字状交差部を示している。
また、発射体使用拒絶体Ｊ１０は一般的に知られている木材類や金属材料や合成樹脂材料の中から選択して用いられ、単独の材料で作製されても組み合わされた材料で作製されても構わないものとする。
またこの実施例で示された考案の形成手段は、本願明細書中で記載された内容及び特に段落００３３に記載された内容の少なくとも一部を用いても構わないものとする。
【実施例６】
【００３９】  次に、図１，図２，図５を用いて、課題を解決するための第一の手段と課題を解決するための第二の手段で記載された発射体使用拒絶体の実施の形態の一例を説明する。
まずＦ１２は、例えば図１で示した発射体形状形成体１０を２つ用いるものとして、その内の一つからイメージされ図案化した発射体形状図案Ｆ１３と、他の一つからイメージされ図案化した発射体形状図案Ｆ１４を用いて、発射体形状図案Ｆ１３の使用を発射体形状図案Ｆ１４を用いて使用する行為を拒絶する図案として略十字状に交差させるように図案化した場合である発射体使用拒絶図案と、発射体形状図案Ｆ１４の使用を発射体形状図案Ｆ１３用いて使用する行為を拒絶する図案として略十字状に交差させるように図案化した場合である発射体使用拒絶図案と、を示している。またＦ１２は、例えば図２で示した発射体使用拒絶体（３０＋４０）を模した形状からイメージされ図案化した発射体使用拒絶図案を示している。またＦ１５は、発射体使用拒絶図案Ｆ１２の発射体形状図案Ｆ１３と発射体形状図案Ｆ１４を略十字状に交差させた状態である略十字状交差部を示している。
次にＦ１１は発射体使用拒絶図案Ｆ１２を本明細書で記載した身飾具の一つとして形成させる手段の一つとしての身飾具基材であり、身飾具基材Ｆ１１は任意の厚さと任意形状で任意の素材で構わないが、この実施例での身飾具基材Ｆ１１の厚さに関しては、１μ〜１０ｍｍ程度が好ましく、この実施例での身飾具基材Ｆ１１の形状に関しては、平面体、曲面体、凹凸体、などの一般的に知られた幾何学形状が好ましく、この実施例での身飾具基材Ｆ１１の一例として、素材は金属類から選択し厚みが約１ｍｍ程度の円形の曲面体であることを選択している。
次にＦ１０は、身飾具基材Ｆ１１に発射体使用拒絶図案Ｆ１２を形成させた発射体使用拒絶身飾具であり、発射体使用拒絶身飾具Ｆ１０を作製する手段に関しては、一般的に知られている成形手段や成型手段や印刷手段や染色手段や織物手段の中から選択し単独で用いたり組み合わせて用いても構わないものとする。
【実施例７】
【００４０】  また、身飾具基材Ｆ１１に関しては、一般的に知られている木材類や金属材料や合成樹脂材料や紙類や衣料用生地類や衣類などの中から選択して用いられ、単独の材料で作製されても組み合わされた材料で作製されても構わないものとする。
また、発射体使用拒絶身飾具Ｆ１０を一般的に知られている金属材料で製造する場合の一例として、例えば金属プレス加工を選択する場合は、発射体使用拒絶図案Ｆ１２を模した形状が成型できるように設計された金型と所定寸法で所定の厚みの金属プレス加工に適した金属板材を用いてプレス加工したり、例えば発射体使用拒絶図案Ｆ１２を模した形状が成型できるように設計された鋳型と所定量の鋳造用溶融金属を用いた鋳造手段を用いたりしたり、すれば良い。
また、発射体使用拒絶身飾具Ｆ１０を一般的に知られている合成樹脂で製造する場合には、一般的に知られている成型手段であれば何を用いても構わない。
また、身飾具基材Ｆ１１の素材に衣料用生地から選択し厚みが任意で形状がＴシャツ形状やワイシャツ形状やユニフォームやジャケット等の上着形状やネクタイ形状である場合であっても本考案では装身具として実施は可能である。
【実施例８】
【００４１】  次に図２を用いて課題を解決するための第一の手段で記載された身飾具に関して記載された発射体使用拒絶体の実施の形態の一例を説明する。
まず発射体使用拒絶体（３０＋４０）が、本明細書で記載した身飾具として機能するためには、発射体使用拒絶体（３０＋４０）に身体や衣装やベルトや帽子や靴などに着脱自在な手段を介する必要があるが、例えば発射体使用拒絶体（３０＋４０）の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。
また例えば、発射体使用拒絶体（３０＋４０）の任意の部位にリングや紐や鎖やベルトなどを着脱可能にまたは着脱不可に装着するための身飾具装着手段の一つとして、例えば分離本体部４２ａの任意の部位にリングや紐や鎖やベルトなどを着脱可能にまたは着脱不可に装着するために形成するようにした身飾具用貫通孔や身飾具用装着部を形成しても構わない。また例えば分離本体部４２ｂの任意の部位にリングや紐や鎖やベルトなどを着脱可能にまたは着脱不可に装着するために形成するようにした身飾具用貫通孔や身飾具用装着部を形成しても構わない。また例えば第一発射体形状形成体３０の任意の部位にリングや紐や鎖やベルトなどを着脱可能にまたは着脱不可に装着するために形成するようにした身飾具用貫通孔や身飾具用装着部を形成しても構わない。
【実施例９】
【００４２】  次に図４を用いて課題を解決するための第一の手段で記載された身飾具に関して記載された発射体使用拒絶体の実施の形態の一例を説明する。
まず発射体使用拒絶体Ｊ１０が、本明細書で記載した身飾具として機能するためには、発射体使用拒絶体Ｊ１０に身体や衣装やベルトや帽子や靴などに着脱自在な手段を介する必要があるが、例えば発射体使用拒絶体Ｊ１０の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。
また例えば、発射体使用拒絶体Ｊ１０の任意の部位にリングや紐や鎖やベルトなどを着脱可能にまたは着脱不可に装着するための身飾具装着手段の一つとして、例えば発射体形状形成体Ｊ１１の任意の部位にリングや紐や鎖やベルトなどを着脱可能にまたは着脱不可に装着するために形成するようにした身飾具用貫通孔や身飾具用装着部を形成しても構わない。
また例えば発射体形状形成体Ｊ１２の任意の部位にリングや紐や鎖やベルトなどを着脱可能にまたは着脱不可に装着するために形成するようにした身飾具用貫通孔や身飾具用装着部を形成しても構わない。
また例えば略十字状交差部Ｊ１３の近傍にリングや紐や鎖やベルトなどを着脱可能にまたは着脱不可に装着するために形成するようにした身飾具用貫通孔や身飾具用装着部を形成しても構わない。
【実施例１０】
【００４３】  次に図５を用いて課題を解決するための第一の手段で記載された身飾具に関して記載された発射体使用拒絶体の実施の形態の一例を説明する。
まず発射体使用拒絶身飾具Ｆ１０が、本明細書で記載した身飾具として機能するためには、発射体使用拒絶身飾具Ｆ１０に身体や衣装やベルトや帽子や靴などに着脱自在な手段を介する必要があるが、例えば発射体使用拒絶身飾具Ｆ１０の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。また例えば、身飾具基材Ｆ１１の任意の部位にリングや紐や鎖やベルトなどを着脱可能にまたは着脱不可に装着するための身飾具装着手段の一つとして、例えば身飾具基材Ｆ１１の任意の部位にリングや紐や鎖やベルトなどを着脱可能にまたは着脱不可に装着するために形成するようにした身飾具用貫通孔や身飾具用装着部を形成しても構わない。
【実施例１１】
【００４４】  次に図６を用いて本明細書で示された飛翔体に関しての詳細な説明をすると、５０は一般的に知られているミサイルやロケットなどを模して製造される飛翔体形状形成体であり、飛翔体形状形成体５０は一般的に知られている木材類や金属材料や合成樹脂材料の中から選択して用いられるが、単独で用いても組み合わせて用いられても構わない。この実施例では飛翔体形状形成体５０は一見すると一般的に知られているミサイルやロケットなどに似ているように形成され、材質は金属材料を選択するが用いる金属の種類は本考案を実施する者に一任される。飛翔体形状形成体５０は、先端部は一般的に知られているミサイルやロケットの弾頭を模して形成される先端部５１と、本体部は一般的に用いられている一般的に知られているミサイルやロケットの本体を模して形成される本体部５２と、後端部は一般的に知られているミサイルやロケットの尾翼５４と噴射部５５を模して形成される後端部５３で構成される。
またこの実施例で示された考案の形成手段は、本願明細書中で記載された内容及び特に段落００３３に記載された内容の少なくとも一部を用いても構わないものとする。
【実施例１２】
【００４５】  次に図６，図７，図８を用いて、課題を解決するための第四の手段と課題を解決するための第五の手段で記載された飛翔体使用拒絶体の実施の形態の一例を説明する。
まず本明細書で記載した飛翔体使用拒絶体が形成されるための構造を説明すると、６０は飛翔体形状形成体５０を２個用いて本明細書で記載した略十字状に形成させるための手段を設けた第一飛翔体形状形成体であり、Ｃ３０は第一飛翔体形状形成体６０に設けた略十字状に形成させるための手段であり、第一飛翔体形状形成体６０は先端部６１と本体部６２と後端部６３と尾翼６４と噴射部６５と略十字状形成手段Ｃ３０で構成され、次に第一飛翔体形状形成体６０には、略十字状形成手段Ｃ３０の一つとして、本体部６２の任意の部位に第二飛翔体形状形成体７０の分離部Ｃ４１が摺動しながら挿入可能になるように形成した開口部Ｃ３１を設け、次に本体部６２には開口部Ｃ３１に対向する部位に第二飛翔体形状形成体７０の分離部Ｃ４２が摺動しながら挿入可能になるように形成した開口部Ｃ３２を設け、７０は飛翔体形状形成体５０を２個用いて本明細書で記載した略十字状に形成させるための手段を設けた第二飛翔体形状形成体であり、Ｃ４０は第二飛翔体形状形成体７０に設けた略十字状に形成させるための手段であり、第二飛翔体形状形成体７０は先端部７１と本体部７２と後端部７３と尾翼７４と噴射部７５と略十字状形成手段Ｃ４０で構成され、次に第二飛翔体形状形成体７０は略十字状形成手段Ｃ４０によって本体部７２の任意の部位で分離されるように形成され、本体部７２の先端部７１を含む部位を分離する分離部Ｃ４１を介して形成された分離本体部７２ａと本体部７２の後端部７３を含む部位を分離する分離部Ｃ４２を介して形成された分離本体部７２ｂで構成される。
次に略十字状形成手段Ｃ４０の一つとして、分離部Ｃ４１の端部の近傍に分離部Ｃ４２の端部を着脱可能又は着脱不可になるよう固着するように形成される固着部Ｃ４３が形成され、次に略十字状形成手段Ｃ４０の一つとして、分離部Ｃ４２の端部の近傍に分離部Ｃ４１の端部を着脱可能又は着脱不可になるよう固着するように形成される固着部Ｃ４４が形成される。
またこの実施例で示された考案の形成手段は、本願明細書中で記載された内容及び特に段落００３３に記載された内容の少なくとも一部を用いても構わないものとする。
【実施例１３】
【００４６】  次に、図６，図７，図８を用いて、課題を解決するための第四の手段と課題を解決するための第五の手段で記載された飛翔体使用拒絶体の実施の形態の一例を説明するが、特に飛翔体使用拒絶体（６０＋７０）が形成されるための手段の一つを説明すると、開口部Ｃ３１を介して分離部Ｃ４１を摺動しながら挿入させ固着部Ｃ４３が固着部Ｃ４４に当接したら先端部４１から分離部Ｃ４１の方向に所定の力で押圧し、開口部Ｃ３２を介して分離部Ｃ４２を摺動しながら挿入させ固着部Ｃ４４が固着部Ｃ４３に当接したら後端部７３から分離部Ｃ４２の方向に所定の力で押圧することで、固着部Ｃ４３と固着部Ｃ４４は互いに係合し一体化するように形成される。また、開口部Ｃ３１と開口部Ｃ３２の間は貫通孔であることを特徴とするが、開口部Ｃ３１と開口部Ｃ３２の間は貫通孔では無く、分離部Ｃ４１の少なくとも一部または（及び）分離部Ｃ４２の少なくとも一部が係止する部位が形成されていても構わない。
【実施例１４】
【００４７】  次に、図６，図７，図８を用いて、課題を解決するための第四の手段と課題を解決するための第五の手段で記載された飛翔体使用拒絶体の実施の形態の一例を説明するが、例えば分離本体部７２ａが第一飛翔体形状形成体６０に固定され分離本体部４２ｂが第一飛翔体形状形成体６０に固定されることで飛翔体使用拒絶体（６０＋７０）が形成される手段の一つを説明すると、固着部Ｃ４３と固着部Ｃ４４の関係が着脱可能であることが好ましい場合には、この２つの固着部の一方に螺旋状の凸状体を設け、この２つの固着部の他方に螺旋状の凸状体と一対になるように形成した螺旋状の凹状体を設け、固着部Ｃ４３と固着部Ｃ４４が螺着可能になるように形成しても構わない。
また、固着部Ｃ４３と固着部Ｃ４４を互いに係合し一体化するように形成される手段の一つとして、固着部Ｃ４３と固着部Ｃ４４の関係が着脱不可でも構わない場合には、固着部Ｃ４３の任意の部位と固着部Ｃ４４の任意の部位に所定量の接着性を備えた物質を設けることで、開口部Ｃ３１を介して分離部Ｃ４１を摺動しながら挿入させ固着部Ｃ４３が固着部Ｃ４４に当接したら先端部７１から分離部Ｃ４１の方向に比較的弱い力で押圧し、開口部Ｃ３２を介して分離部Ｃ４２を摺動しながら挿入させ固着部Ｃ４４が固着部Ｃ４３に当接したら後端部７３から分離部Ｃ４２の方向に比較的弱い力で押圧しても、固着部Ｃ４３と固着部Ｃ４４は着脱不可に固着されることで、分離本体部７２ａが第一飛翔体形状形成体６０に固定され分離本体部７２ｂが第一飛翔体形状形成体６０に固定され発射体使用拒絶体（６０＋７０）が形成される。
またこの実施例で示された考案の形成手段は、本願明細書中で記載された内容及び特に段落００３３に記載された内容の少なくとも一部を用いても構わないものとする。
【実施例１５】
【００４８】  次に、図６，図７，図９を用いて、課題を解決するための第四の手段と課題を解決するための第五の手段で記載された飛翔体使用拒絶体の実施の形態の一例を説明する。
まず図９のＪ２０は、例えば図６で示した飛翔体形状形成体５０を２つ用いて、その内の一つからイメージされ形成した飛翔体形状形成体Ｊ２１と、他の一つからイメージされ形成した飛翔体形状形成体Ｊ２２を用いて、飛翔体形状形成体Ｊ２１の使用を飛翔体形状形成体Ｊ２２を用いて使用する行為を拒絶する形状として略十字状に交差させるように形成させた場合と、飛翔体形状形成体Ｊ２２の使用を飛翔体形状形成体Ｊ２１用いて使用する行為を拒絶する形状として略十字状に交差させるように形成させた場合と、を示している。
また図９のＪ２０は、例えば図７で示した飛翔体使用拒絶体（６０＋７０）を模した形状で形成させた飛翔体使用拒絶体を示している。また飛翔体使用拒絶体Ｊ２０の成形手段や成型手段は何を用いても構わないものとする。
また図９のＪ２３は、飛翔体使用拒絶体Ｊ２０の飛翔体形状形成体Ｊ２１と飛翔体形状形成体Ｊ２２を略十字状に交差させた状態である略十字状交差部を示している。
また、飛翔体使用拒絶体Ｊ２０は一般的に知られている木材類や金属材料や合成樹脂材料の中から選択して用いられ、単独の材料で作製されても組み合わされた材料で作製されても構わないものとする。
またこの実施例で示された考案の形成手段は、本願明細書中で記載された内容及び特に段落００３３に記載された内容の少なくとも一部を用いても構わないものとする。
【実施例１６】
【００４９】  次に、図６，図７，図１０を用いて、課題を解決するための第四の手段と課題を解決するための第五の手段で記載された飛翔体使用拒絶体の実施の形態の一例を説明する。
まず図１０のＦ２２は、例えば図６で示した飛翔体形状形成体５０を２つ用いるものとして、その内の一つからイメージされ図案化した飛翔体形状図案Ｆ２３と、他の一つからイメージされ図案化した飛翔体形状図案Ｆ２４を用いて、飛翔体形状図案Ｆ２３の使用を飛翔体形状図案Ｆ２４を用いて使用する行為を拒絶する図案として略十字状に交差させるように図案化した場合である飛翔体使用拒絶図案と、飛翔体形状図案Ｆ２４の使用を飛翔体形状図案Ｆ２３用いて使用する行為を拒絶する図案として略十字状に交差させるように図案化した場合である飛翔体使用拒絶図案と、を示している。またＦ２２は、例えば図７で示した飛翔体使用拒絶体（６０＋７０）を模した形状からイメージされ図案化した飛翔体使用拒絶図案を示している。またＦ２５は、飛翔体使用拒絶図案Ｆ２２の飛翔体形状図案Ｆ２３と飛翔体形状図案Ｆ２４を略十字状に交差させた状態である略十字状交差部を示している。
次に図１０のＦ２１は飛翔体使用拒絶図案Ｆ２２を本明細書で記載した身飾具の一つとして形成させる手段の一つとしての身飾具基材であり、身飾具基材Ｆ２１は任意の厚さと任意形状で任意の素材で構わないが、この実施例での身飾具基材Ｆ２１の厚さに関しては、１μ〜１０ｍｍ程度が好ましく、この実施例での身飾具基材Ｆ１１の形状に関しては、平面体、曲面体、凹凸体、などの一般的に知られた幾何学形状が好ましく、この実施例での身飾具基材Ｆ１１の一例として、素材は金属類から選択し厚みが約１ｍｍ程度の円形の曲面体であることを選択している。
次に図１０のＦ２０は、身飾具基材Ｆ２１に飛翔体使用拒絶図案Ｆ２２を形成させた飛翔体使用拒絶身飾具であり、飛翔体使用拒絶身飾具Ｆ２０を作製する手段に関しては、一般的に知られている成形手段や成型手段や印刷手段や染色手段や織物手段の中から選択し単独で用いたり組み合わせて用いても構わないものとする。
【実施例１７】
【００５０】  また、図１０の身飾具基材Ｆ２１に関しては、一般的に知られている木材類や金属材料や合成樹脂材料や紙類や衣料用生地類や衣類などの中から選択して用いられ、単独の材料で作製されても組み合わされた材料で作製されても構わないものとする。
また、飛翔体使用拒絶身飾具Ｆ２０を一般的に知られている金属材料で製造する場合の一例として、例えば金属プレス加工を選択する場合は、飛翔体使用拒絶図案Ｆ２２を模した形状が成型できるように設計された金型と所定寸法で所定の厚みの金属プレス加工に適した金属板材を用いてプレス加工したり、例えば飛翔体使用拒絶図案Ｆ２２を模した形状が成型できるように設計された鋳型と所定量の鋳造用溶融金属を用いた鋳造手段を用いたりしたり、すれば良い。
また、飛翔体使用拒絶身飾具Ｆ２０を一般的に知られている合成樹脂で製造する場合には、一般的に知られている成型手段であれば何を用いても構わない。
また、身飾具基材Ｆ２１の素材に衣料用生地から選択し厚みが任意で形状がＴシャツ形状やワイシャツ形状やユニフォームやジャケット等の上着形状やネクタイ形状である場合であっても本考案では装身具として実施は可能である。
【実施例１８】
【００５１】  次に、図７を用いて、課題を解決するための第四の手段で記載された身飾具に関して記載された飛翔体使用拒絶体の実施の形態の一例を説明する。
まず飛翔体使用拒絶体（６０＋７０）が、本明細書で記載した身飾具として機能するためには、飛翔体使用拒絶体（６０＋７０）に身体や衣装やベルトや帽子や靴などに着脱自在な手段を介する必要があるが、例えば飛翔体使用拒絶体（６０＋７０）の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。
また例えば、飛翔体使用拒絶体（６０＋７０）の任意の部位にリングや紐や鎖やベルトなどを着脱可能にまたは着脱不可に装着するための身飾具装着手段の一つとして、例えば分離本体部７２ａの任意の部位にリングや紐や鎖やベルトなどを着脱可能にまたは着脱不可に装着するために形成するようにした身飾具用貫通孔や身飾具用装着部を形成しても構わない。また例えば分離本体部７２ｂの任意の部位にリングや紐や鎖やベルトなどを着脱可能にまたは着脱不可に装着するために形成するようにした身飾具用貫通孔や身飾具用装着部を形成しても構わない。また例えば第一飛翔体形状形成体６０の任意の部位にリングや紐や鎖やベルトなどを着脱可能にまたは着脱不可に装着するために形成するようにした身飾具用貫通孔や身飾具用装着部を形成しても構わない。
【実施例１９】
【００５２】  次に図９を用いて課題を解決するための第四の手段で記載された身飾具に関して記載された発射体使用拒絶体の実施の形態の一例を説明する。
まず発射体使用拒絶体Ｊ２０が、本明細書で記載した身飾具として機能するためには、発射体使用拒絶体Ｊ２０に身体や衣装やベルトや帽子や靴などに着脱自在な手段を介する必要があるが、例えば発射体使用拒絶体Ｊ２０の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。
また例えば、発射体使用拒絶体Ｊ２０の任意の部位にリングや紐や鎖やベルトなどを着脱可能にまたは着脱不可に装着するための身飾具装着手段の一つとして、例えば発射体形状形成体Ｊ２１の任意の部位にリングや紐や鎖やベルトなどを着脱可能にまたは着脱不可に装着するために形成するようにした身飾具用貫通孔や身飾具用装着部を形成しても構わない。
また例えば発射体形状形成体Ｊ２２の任意の部位にリングや紐や鎖やベルトなどを着脱可能にまたは着脱不可に装着するために形成するようにした身飾具用貫通孔や身飾具用装着部を形成しても構わない。
また例えば略十字状交差部Ｊ２３の近傍にリングや紐や鎖やベルトなどを着脱可能にまたは着脱不可に装着するために形成するようにした身飾具用貫通孔や身飾具用装着部を形成しても構わない。
【実施例２０】
【００５３】  次に図１０を用いて課題を解決するための第四の手段で記載された身飾具に関して記載された発射体使用拒絶体の実施の形態の一例を説明する。
まず発射体使用拒絶身飾具Ｆ２０が、本明細書で記載した身飾具として機能するためには、発射体使用拒絶身飾具Ｆ２０に身体や衣装やベルトや帽子や靴などに着脱自在な手段を介する必要があるが、例えば発射体使用拒絶身飾具Ｆ２０の任意の部位にリングや紐や鎖やベルトなどを着脱可能にまたは着脱不可に装着するために形成した身飾具用装着部を設けることも可能であり、そのための技術的手段は一般的に知られている手段を用いればよいものとする。また例えば、身飾具基材Ｆ２１の任意の部位にリングや紐や鎖やベルトなどを着脱可能にまたは着脱不可に装着するための身飾具装着手段の一つとして、例えば身飾具基材Ｆ２１の任意の部位にリングや紐や鎖やベルトなどを着脱可能にまたは着脱不可に装着するために形成するようにした身飾具用貫通孔や身飾具用装着部を形成しても構わない。
【実施例２１】
【００５４】  次に図１と図１１を用いて、課題を解決するための第一の手段と課題を解決するための第三の手段で記載された発射体使用拒絶体の実施の形態の一例を説明する。まず、図１１の実施例で示された発射体使用拒絶体が形成される手段としては、図１で示した発射体形状形成体２０を２個用いて、発射体形状形成体Ａ２０と発射体形状形成体Ｂ２０で形成されるものとする。発射体形状形成体Ａ２０は、先端部Ａ２１と、本体部Ａ２２と、後端部Ａ２３で構成され、頭頂部Ａ２４は略半球体として形成され、材質は本明細書で記載した材質の中から選択すればよい。発射体形状形成体Ｂ２０は、先端部Ｂ２１と、本体部Ｂ２２と、後端部Ｂ２３で構成され、頭頂部Ｂ２４は略半球体として形成され、材質は本明細書で記載した材質の中から選択すればよい。
次に頭頂部Ａ２４と頭頂部Ｂ２４を当接手段を介して当接させ固着させた状態に形成することで、発射体形状形成体Ａ２０と発射体形状形成体Ｂ２０は武器や兵器として使用が出来ない状態である発射体使用拒絶体Ｔ１を形成するものとする。
また頭頂部Ａ２４と頭頂部Ｂ２４を圧接手段を介して圧接させ、このとき頭頂部Ａ２４と頭頂部Ｂ２４の圧接部位が変形した状態に見えるように形成し固着させた状態に形成することで、発射体形状形成体Ａ２０と発射体形状形成体Ｂ２０は武器や兵器として使用が出来ない状態である発射体使用拒絶体Ｔ２を形成することも選択できるものとする。
また頭頂部Ａ２４と頭頂部Ｂ２４を衝合手段を介して衝合させ、このとき頭頂部Ａ２４と頭頂部Ｂ２４の衝合部位が変形した状態に見えるように形成し固着させた状態に形成することで、発射体形状形成体Ａ２０と発射体形状形成体Ｂ２０は武器や兵器として使用が出来ない状態である発射体使用拒絶体Ｔ３を形成することも選択できるものとする。
またこの実施例で示された考案の形成手段は、本願明細書中で記載された内容及び特に段落００３３に記載された内容の少なくとも一部を用いても構わないものとする。
【実施例２２】
【００５５】  次に、図１１と図１２を用いて、課題を解決するための第一の手段と課題を解決するための第三の手段で記載された発射体使用拒絶体の実施の形態の一例を説明する。
まず図１２よりＦ３２は、例えば図１１で示した発射体使用拒絶体Ｔ１を模した形状からイメージされ図案化した発射体使用拒絶図案を示している。またＦ３３は、例えば図１１で示した発射体使用拒絶体Ｔ２を模した形状からイメージされ図案化した発射体使用拒絶図案を示している。またＦ３４は、例えば図１１で示した発射体使用拒絶体Ｔ３を模した形状からイメージされ図案化した発射体使用拒絶図案を示している。
次に図１２よりＦ３１は、発射体使用拒絶図案Ｆ３２や発射体使用拒絶図案Ｆ３３や発射体使用拒絶図案Ｆ３４を本明細書で記載した身飾具の一つとして形成させる手段の一つとしての身飾具基材であり、身飾具基材Ｆ３１は任意の厚さと任意形状で任意の素材で構わないが、この実施例での身飾具基材Ｆ３１の厚さに関しては、１μ〜１０ｍｍ程度が好ましく、この実施例での身飾具基材Ｆ３１の形状に関しては、平面体、曲面体、凹凸体、などの一般的に知られた幾何学形状が好ましく、この実施例での身飾具基材Ｆ３１の一例として、素材は金属類から選択し厚みが約１ｍｍ程度の円形の曲面体であることを選択している。
次に図１２よりＦ３０は、身飾具基材Ｆ３１に発射体使用拒絶図案Ｆ３２や発射体使用拒絶図案Ｆ３３や発射体使用拒絶図案Ｆ３４を形成させた発射体使用拒絶身飾具であり、発射体使用拒絶身飾具Ｆ３０を作製する手段に関しては、一般的に知られている成形手段や成型手段や印刷手段や染色手段や織物手段の中から選択し単独で用いたり組み合わせて用いても構わないものとする。
また図１２よりＦ３５は、円形体で形成された発射体使用拒絶身飾具Ｆ３０の内周の近傍に文字や記号や数字を組み合わせた情報欄であり、情報欄Ｆ３５には、「魔除け」とか「反戦」とか「平和」というイメージを感じさせる情報Ｆ３６を設けても構わないものとする。
また図１２の実施例では、発射体使用拒絶身飾具Ｆ３０のデザインとして、発射体使用拒絶図案Ｆ３２や発射体使用拒絶図案Ｆ３３や発射体使用拒絶図案Ｆ３４や情報欄Ｆ３５や情報Ｆ３６を組み合わせたデザインの一例として、交通標識の中の「禁止」を意味する標識を模したり標識に類似させたりすることを特徴とする。
【実施例２３】
【００５６】  また、身飾具基材Ｆ３１に関しては、一般的に知られている木材類や金属材料や合成樹脂材料や紙類や衣料用生地類や衣類などの中から選択して用いられ、単独の材料で作製されても組み合わされた材料で作製されても構わないものとする。
また、発射体使用拒絶身飾具Ｆ３０を一般的に知られている金属材料で製造する場合の一例として、例えば金属プレス加工を選択する場合は、発射体使用拒絶図案Ｆ１２を模した形状が成型できるように設計された金型と所定寸法で所定の厚みの金属プレス加工に適した金属板材を用いてプレス加工したり、例えば発射体使用拒絶図案Ｆ１２を模した形状が成型できるように設計された鋳型と所定量の鋳造用溶融金属を用いた鋳造手段を用いたりしたり、すれば良い。
また、発射体使用拒絶身飾具Ｆ３０を一般的に知られている合成樹脂で製造する場合には、一般的に知られている成型手段であれば何を用いても構わない。
また、身飾具基材Ｆ３１の素材に衣料用生地から選択し厚みが任意で形状がＴシャツ形状やワイシャツ形状やユニフォームやジャケット等の上着形状やネクタイ形状である場合であっても本考案では装身具として実施は可能である。
【実施例２４】
【００５７】  次に図１と図１１を用いて、課題を解決するための第一の手段と課題を解決するための第三の手段で記載された発射体使用拒絶体の実施の形態の一例として図１３で示された発射体使用拒絶体が形成される手段を説明する。まず、図１で示した発射体形状形成体２０を４個用いて、図１３で示したように夫々発射体形状形成体Ａ２０と発射体形状形成体Ｂ２０と発射体形状形成体Ｃ２０と発射体形状形成体Ｄ２０で本明細書で記載した略十字状に形成させるものとする。
次に図１３で示したように前記４体を用いて略十字状に形成させる手段の一つとして発射体形状形成体Ａ２０の頭頂部Ａ２４と発射体形状形成体Ｂ２０の頭頂部Ｂ２４と発射体形状形成体Ｃ２０の頭頂部Ｃ２４と発射体形状形成体Ｄ２０の頭頂部Ｄ２４を用いるものとする。なお前記４体の材質は本明細書で記載した材質の中から選択すればよい。
次に図１３より頭頂部Ａ２４と頭頂部Ｂ２４と頭頂部Ｃ２４と頭頂部Ｄ２４を前記略十字状に形成させた後に当接手段を介して当接させ固着させた状態に見えるように形成することで、発射体形状形成体Ａ２０と発射体形状形成体Ｂ２０と発射体形状形成体Ｃ２０と発射体形状形成体Ｄ２０は武器や兵器として使用が出来ない状態である発射体使用拒絶体Ｘ１を形成するものとする。
また図１３より頭頂部Ａ２４と頭頂部Ｂ２４と頭頂部Ｃ２４と頭頂部Ｄ２４を前記略十字状に形成させた後に圧接手段を介して圧接させ、このとき頭頂部Ａ２４と頭頂部Ｂ２４と頭頂部Ｃ２４と頭頂部Ｄ２４の圧接部位が変形した状態に見えるように形成し固着させた状態にすることで、発射体形状形成体Ａ２０と発射体形状形成体Ｂ２０と発射体形状形成体Ｃ２０と発射体形状形成体Ｄ２０は武器や兵器として使用が出来ない状態である発射体使用拒絶体Ｘ２を形成することも選択できるものとする。
また図１３より頭頂部Ａ２４と頭頂部Ｂ２４と頭頂部Ｃ２４と頭頂部Ｄ２４を前記略十字状に形成させた後に衝合手段を介して衝合させ固着したように見えるように形成し、さらに頭頂部Ａ２４と頭頂部Ｂ２４と頭頂部Ｃ２４と頭頂部Ｄ２４の衝合部位が変形した状態に見えるように形成し固着させた状態にすることで、発射体形状形成体Ａ２０と発射体形状形成体Ｂ２０と発射体形状形成体Ｃ２０と発射体形状形成体Ｄ２０は武器や兵器として使用が出来ない状態である発射体使用拒絶体Ｘ３を形成することも選択できるものとする。
またこの実施例で示された考案の形成手段は、本願明細書中で記載された内容及び特に段落００３３に記載された内容の少なくとも一部を用いても構わないものとする。
【実施例２５】
【００５８】  次に、図１４ａと図１４ｂで示された実施の形態の一例を説明するが、図４と実施例５に記載された内容と、課題を解決するための第一の手段（請求項１を含む）と課題を解決するための第二の手段（請求項２を含む）で記載された発射体使用拒絶体の内容を用いて、説明するものとする。
まず図１４ａと図１４ｂで示されたＪ３０ａとＪ３０ｂは、例えば図４で示した発射体使用拒絶体Ｊ１０を模した形状で形成させた発射体使用拒絶体を示している。従ってＪ３１ａとＪ３１ｂは発射体形状形成体Ｊ１１を模して形成され、Ｊ３２ａとＪ３２ｂは発射体形状形成体Ｊ１２から模して形成されることになる。またＪ３３ａとＪ３３ｂは、発射体形状形成体Ｊ３１ａ，Ｊ３１ｂの使用を発射体形状形成体Ｊ３２ａ，Ｊ３２ｂを用いて使用する行為を拒絶する形状として略十字状に交差させるように形成させた場合である略十字状交差部と発射体形状形成体Ｊ３２ａ，Ｊ３２ｂの使用を発射体形状形成体Ｊ３１ａ，Ｊ３１ｂ用いて使用する行為を拒絶する形状として略十字状に交差させるように形成させた場合である略十字状交差部を示している。
また図１４ａと図１４ｂで示された、Ｊ３４ａとＪ３４ｂは略十字状交差部Ｊ３３ａ，Ｊ３３ｂを囲むように形成された円環体であり、Ｊ３５ａとＪ３５ｂは円環体Ｊ３４ａ，Ｊ３４ｂと略十字状交差部Ｊ３３ａ，Ｊ３３ｂの組合せとしてケルト十字として認識されるケルト十字体となり、より強力な宗教的メッセージを強調することが可能になる。
すなわち、ケルト十字はケルト系キリスト教の特徴的なシンボルとして欧米では比較的良く知られた存在なので、発射体使用拒絶体Ｊ３０ａ，Ｊ３０ｂで形成されたケルト十字体Ｊ３５ａ，Ｊ３５ｂは、課題を解決するための第一の手段（請求項１を含む）と課題を解決するための第二の手段（請求項２を含む）を実施する場合の最良の実施例の一つとなる。
また、この実施例で図１４ａで示されたケルト十字体Ｊ３５ａの形成手段としては、発射体使用拒絶体Ｊ３０ａと円環体Ｊ３４ａとを上述した形成手段で、別々で形成させてもよいし、一体で形成させてもよいものとする。
また、この実施例で図１４ｂで示されたケルト十字体Ｊ３５ｂの形成手段としては、発射体使用拒絶体Ｊ３０ｂと円環体Ｊ３４ｂとを上述した形成手段で、一体で形成させた場合を示している。
またこの実施例で示された考案の形成手段は、本願明細書中で記載された内容及び特に段落００３３に記載された内容の少なくとも一部を用いても構わないものとする。
【実施例２６】
【００５９】  次に、図１５ａと図１５ｂで示された実施の形態の一例を説明するが、図９と実施例１５に記載された内容と、課題を解決するための第四の手段（請求項４を含む）と課題を解決するための第五の手段（請求項５を含む）で記載された飛翔体使用拒絶体の内容を用いて、説明するものとする。
まず図１５ａと図１５ｂで示されたＪ４０ａとＪ４０ｂは、例えば図９で示した飛翔体使用拒絶体Ｊ２０を模した形状で形成させた飛翔体使用拒絶体を示している。従ってＪ４１ａとＪ４１ｂは飛翔体形状形成体Ｊ２１を模して形成され、Ｊ４２ａとＪ４２ｂは飛翔体形状形成体Ｊ２２から模して形成されることになる。またＪ４３ａとＪ４３ｂは、飛翔体形状形成体Ｊ４１ａ，Ｊ４１ｂの使用を飛翔体形状形成体Ｊ４２ａ，Ｊ４２ｂを用いて使用する行為を拒絶する形状として略十字状に交差させるように形成させた場合である略十字状交差部と飛翔体形状形成体Ｊ４２ａ，Ｊ４２ｂの使用を飛翔体形状形成体Ｊ４１ａ，Ｊ４１ｂ用いて使用する行為を拒絶する形状として略十字状に交差させるように形成させた場合である略十字状交差部を示している。
また図１５ａと図１５ｂで示された、Ｊ４４ａとＪ４４ｂは略十字状交差部Ｊ４３ａ，Ｊ４３ｂを囲むように形成された円環体であり、Ｊ４５ａとＪ４５ｂは円環体Ｊ４４ａ，Ｊ４４ｂと略十字状交差部Ｊ４３ａ，Ｊ４３ｂの組合せとしてケルト十字として認識されるケルト十字体となり、より強力な宗教的メッセージを強調することが可能になる。
すなわち、ケルト十字はケルト系キリスト教の特徴的なシンボルとして欧米では比較的良く知られた存在なので、飛翔体使用拒絶体Ｊ４０ａ，Ｊ４０ｂで形成されたケルト十字体Ｊ４５ａ，Ｊ４５ｂは、課題を解決するための第四の手段（請求項４を含む）と課題を解決するための第五の手段（請求項５を含む）を実施する場合の最良の実施例の一つとなる。
また、この実施例で図１５ａで示されたケルト十字体Ｊ４５ａの形成手段としては、飛翔体使用拒絶体Ｊ４０ａと円環体Ｊ４４ａとを上述した形成手段で、別々で形成させてもよいし、一体で形成させてもよいものとする。
また、この実施例で図１５ｂで示されたケルト十字体Ｊ４５ｂの形成手段としては、飛翔体使用拒絶体Ｊ４０ｂと円環体Ｊ４４ｂとを上述した形成手段で、一体で形成させた場合を示している。
またこの実施例で示された考案の形成手段は、本願明細書中で記載された内容及び特に段落００３３に記載された内容の少なくとも一部を用いても構わないものとする。
【実施例２７】
【００６０】  次に、図１６ａで示された実施の形態の一例を説明するが、図２と実施例２に記載された内容と、課題を解決するための第一の手段（請求項１を含む）と課題を解決するための第二の手段（請求項２を含む）で記載された発射体使用拒絶体の内容を用いて、図１６ａで示された発射体使用拒絶体を説明するものとする。
まず図１６ａで示された（Ｄ１０ａ＋Ｄ２０ａ）は発射体使用拒絶体であり、図２と実施例２で示した第一発射体形状形成体３０と第二発射体形状形成体４０で形成された発射体使用拒絶体（３０＋４０）の応用例の一つとして示したものである。
その一例として、図２では発射体使用拒絶体（３０＋４０）は第一発射体形状形成体３０と第二発射体形状形成体４０で構成され、第一発射体形状形成体３０は先端部３１と本体部３２と後端部３３で形成され、第二発射体形状形成体４０は先端部４１と本体部４２と後端部４３で形成されていることを示し、図１６ａでは発射体使用拒絶体（Ｄ１０ａ＋Ｄ２０ａ）は第一発射体形状形成体Ｄ１０ａと第二発射体形状形成体Ｄ２０ａで構成され、第一発射体形状形成体Ｄ１０ａは先端部Ｄ１１ａと本体部Ｄ１２ａと後端部Ｄ１３ａで形成され、第一発射体形状形成体Ｄ２０ａは先端部Ｄ２１ａと本体部Ｄ２２ａと後端部Ｄ２３ａで形成されていることを示していて、例えば第一発射体形状形成体３０の本体部３２の内側に向かってテーパ状または凹状に形成させた一例として、図１６ａで示した第一発射体形状形成体Ｄ１０ａの本体部Ｄ１２ａまたは第二発射体形状形成体Ｄ２０ａの本体部Ｄ２２ａのような形状や意匠になることを示し、例えば第二発射体形状形成体４０の本体部４２の内側に向かってテーパ状または凹状に形成させた一例として、図１６ａで示した第一発射体形状形成体Ｄ１０ａの本体部Ｄ１２ａまたは第二発射体形状形成体Ｄ２０ａの本体部Ｄ２２ａのような形状や意匠になることを示している。
次に図１６ａで示された発射体使用拒絶体（Ｄ１０ａ＋Ｄ２０ａ）の形状や意匠にどんな意味があるのかを説明すると、本願出願人は、発射体使用拒絶体（Ｄ１０ａ＋Ｄ２０ａ）の形状や意匠が、十字架形状の紋章として古くから用いられている、「クロス・パティ（Ｃｒｏｓｓ  ｐａｔｔｙ）」とか「鉄十字（ドイツ語：Ｅｉｓｅｒｎｅｓ  Ｋｒｅｕｚ）」とか「ドイツ十字」と呼ばれている形状や意匠に似せて形成させることを意図したものであり明らかに形状や意匠としての「十字架」を強調することになる。従って、図１６ａで示されたＤＣ１は、第一発射体形状形成体Ｄ１０ａと第二発射体形状形成体Ｄ２０ａを使用する行為を拒絶するイメージを想起させる形状に形成させたことになり、発射体使用拒絶体（Ｄ１０ａ＋Ｄ２０ａ）の形状や意匠は上記を代表して鉄十字体という表現にした場合、鉄十字体ＤＣ１は消費者に対してより強力な宗教的メッセージを強調することが可能になる。
またこの実施例で示された考案の形成手段は、本願明細書中で記載された内容及び特に段落００３３に記載された内容の少なくとも一部を用いても構わないものとする。
【実施例２８】
【００６１】  次に、図１６ｂで示された実施の形態の一例を説明するが、図１６ａと実施例２７に記載された内容と、課題を解決するための第一の手段（請求項１を含む）と課題を解決するための第二の手段（請求項２を含む）で記載された発射体使用拒絶体の内容を用いて、図１６ｂで示された発射体使用拒絶体を説明するものとする。
まずＤ１０ｂは、図１６ａで示した第一発射体形状形成体Ｄ１０ａからイメージされ一体になるように形成された一体形成体であり、次にＤ２０ｂは、図１６ａで示した第二発射体形状形成体Ｄ２０ａからイメージされ一体になるように形成された一体形成体であり、また（Ｄ１０ｂ＋Ｄ２０ｂ）は、図１６ａで示した発射体使用拒絶体（Ｄ１０ａ＋Ｄ２０ａ）からイメージされ一体になるように形成された一体形成体としての発射体使用拒絶体であり、さらにＤＣ２は図１６ａで示した鉄十字体ＤＣ１からイメージされ一体になるように形成された一体形成体としての鉄十字体である。
またこの実施例で示された考案の形成手段は、本願明細書中で記載された内容及び特に段落００３３に記載された内容の少なくとも一部を用いても構わないものとする。
【実施例２９】
【００６２】  次に、図１７ａで示された実施の形態の一例を説明するが、図７と実施例１５に記載された内容と、課題を解決するための第四の手段（請求項５を含む）と課題を解決するための第五の手段（請求項５を含む）で記載された飛翔体使用拒絶体の内容を用いて、図１７ａで示された飛翔体使用拒絶体を説明するものとする。
まず図１７ａで示された（Ｄ３０ａ＋Ｄ４０ａ）は飛翔体使用拒絶体であり、図７と実施例１５で示した第一飛翔体形状形成体６０と第二飛翔体形状形成体７０で形成された飛翔体使用拒絶体（６０＋７０）の応用例の一つとして示したものである。
その一例として、図７では飛翔体使用拒絶体（６０＋７０）は第一飛翔体形状形成体６０と第二飛翔体形状形成体７０で構成され、第一飛翔体形状形成体６０は先端部６１と本体部６２と後端部６３で形成され、第二飛翔体形状形成体７０は先端部７１と本体部７２と後端部７３で形成されていることを示し、図１７ａでは飛翔体使用拒絶体（Ｄ３０ａ＋Ｄ４０ａ）は第一飛翔体形状形成体Ｄ３０ａと第二発射体形状形成体Ｄ４０ａで構成され、第一飛翔体形状形成体Ｄ３０ａは先端部Ｄ３１ａと本体部Ｄ３２ａと後端部Ｄ３３ａで形成され、第二飛翔体形状形成体Ｄ４０ａは先端部Ｄ４１ａと本体部Ｄ４２ａと後端部Ｄ４３ａで形成されていることを示していて、例えば図７で示した第一飛翔体形状形成体６０の本体部６２の内側に向かってテーパ状または凹状に形成させた一例として、図１６ａで示した第一飛翔体形状形成体Ｄ３０ａの本体部Ｄ３２ａまたは第二飛翔体形状形成体Ｄ４０ａの本体部Ｄ４２ａのような形状や意匠になることを示し、例えば図７で示した第二発射体形状形成体７０の本体部７２の内側に向かってテーパ状または凹状に形成させた一例として、図１７ａで示した第一飛翔体形状形成体Ｄ３０ａの本体部Ｄ３２ａまたは第二飛翔体形状形成体Ｄ４０ａの本体部Ｄ４２ａのような形状や意匠になることを示している。
次に図１７ａで示された飛翔体使用拒絶体（Ｄ３０ａ＋Ｄ４０ａ）の形状や意匠にどんな意味があるのかを説明すると、本願出願人は、飛翔体使用拒絶体（Ｄ３０ａ＋Ｄ４０ａ）の形状や意匠が、十字架形状の紋章として古くから用いられている、「クロス・パティ（Ｃｒｏｓｓ  ｐａｔｔｙ）」とか「鉄十字（ドイツ語：Ｅｉｓｅｒｎｅｓ  Ｋｒｅｕｚ）」とか「ドイツ十字」と呼ばれている形状や意匠に似せて形成させることを意図したものであり明らかに形状や意匠としての「十字架」を強調することになる。従って、図１７ａで示されたＤＣ３は、第一飛翔体形状形成体Ｄ３０ａと第二飛翔体形状形成体Ｄ４０ａを使用する行為を拒絶するイメージを想起させる形状に形成させたことになり、飛翔体使用拒絶体（Ｄ３０ａ＋Ｄ４０ａ）の形状や意匠は上記を代表して鉄十字体という表現にした場合、鉄十字体ＤＣ３は消費者に対してより強力な宗教的メッセージを強調することが可能になる。
またこの実施例で示された考案の形成手段は、本願明細書中で記載された内容及び特に段落００３３に記載された内容の少なくとも一部を用いても構わないものとする。
【実施例３０】
【００６３】  次に、図１７ｂで示された実施の形態の一例を説明するが、図１７ａと実施例２９に記載された内容と、課題を解決するための第四の手段（請求項４を含む）と課題を解決するための第五の手段（請求項５を含む）で記載された飛翔体使用拒絶体の内容を用いて、図１７ｂで示された飛翔体使用拒絶体を説明するものとする。
まずＤ３０ｂは、図１７ａで示した第一飛翔体形状形成体Ｄ３０ａからイメージされ一体になるように形成された一体形成体であり、次にＤ４０ｂは、図１７ａで示した第二飛翔体形状形成体Ｄ４０ａからイメージされ一体になるように形成された一体形成体であり、また（Ｄ３０ｂ＋Ｄ４０ｂ）は、図１７ａで示した飛翔体使用拒絶体（Ｄ３０ａ＋Ｄ４０ａ）からイメージされ一体になるように形成された一体形成体としての飛翔体使用拒絶体であり、さらにＤＣ４は図１７ａで示した鉄十字体ＤＣ３からイメージされ一体になるように形成された一体形成体としての鉄十字体である。
またこの実施例で示された考案の形成手段は、本願明細書中で記載された内容及び特に段落００３３に記載された内容の少なくとも一部を用いても構わないものとする。
【実施例３１】
【００６３】  次に、図１８ａで示された実施の形態の一例を説明するが、図２と実施例２に記載された内容と、図１６ａと実施例２７に記載された内容と、課題を解決するための第一の手段（請求項１を含む）と課題を解決するための第二の手段（請求項２を含む）で記載された発射体使用拒絶体の内容を用いて、図１８ａで示された発射体使用拒絶体を説明するものとする。
まず図１８ａで示された（Ｈ１０ａ＋Ｈ２０ａ）は発射体使用拒絶体であり、図２と実施例２で示した第一発射体形状形成体３０と第二発射体形状形成体４０で形成された発射体使用拒絶体（３０＋４０）及び図１６ａと実施例２７で示した第一発射体形状形成体Ｄ１０ａと第二発射体形状形成体Ｄ２０ａで形成された発射体使用拒絶体（Ｄ１０ａ＋Ｄ２０ａ）の応用例の一つとして示したものである。
従って、Ｈ１０ａは図１６ａで示した第一発射体形状形成体Ｄ１０ａから応用された第一発射体形状形成体であり、第一発射体形状形成体Ｄ１０ａを構成する先端部Ｄ１１ａと本体部Ｄ１２ａと後端部Ｄ１３ａは、そのまま第一発射体形状形成体Ｈ１０ａを構成する先端部Ｈ１１ａと本体部Ｈ１２ａと後端部Ｈ１３ａと一対一で対応する。
また、Ｈ２０ａは図２で示した第一発射体形状形成体３０から応用された第二発射体形状形成体であり、第一発射体形状形成体３０を構成する先端部３１と本体部３２と後端部３３は、そのまま第二発射体形状形成体Ｈ２０ａを構成する先端部Ｈ２１ａと本体部Ｈ２２ａと後端部Ｈ２３ａと一対一で対応する。
Ｈ２４ａは、メッセージ部であり、メッセージ部Ｈ２４ａには本体部Ｈ２２ａの任意の部位に文字や記号や数字や画像などを形成させるようになっている。従ってメッセージ部Ｈ２４ａに課題を解決するための第一の手段（請求項１を含む）及び課題を解決するための第二の手段（請求項２を含む）で記載された内容を表現することで、消費者に対してより強力なメッセージを伝えることが可能になる。
また、発射体使用拒絶体（Ｈ１０ａ＋Ｈ２０ａ）の形状の特徴は、図１８ａで示すように、第一発射体形状形成体Ｈ１０ａは第二発射体形状形成体Ｈ２０ａの後端部Ｈ２３ａ側で交差するように形成されているので、十字架形状の中でも磔十字と呼ばれている形状なので、発射体使用拒絶体（Ｈ１０ａ＋Ｈ２０ａ）は消費者に対してより強力な宗教的メッセージを強調することが可能になる。
またこの実施例で示された考案の形成手段は、本願明細書中で記載された内容及び特に段落００３３に記載された内容の少なくとも一部を用いても構わないものとする。
【実施例３２】
【００６４】  次に、図１８ｂで示された実施の形態の一例を説明するが、図１８ａと実施例３１に記載された内容と、課題を解決するための第一の手段（請求項１を含む）と課題を解決するための第二の手段（請求項２を含む）で記載された発射体使用拒絶体の内容を用いて、図１８ｂで示された発射体使用拒絶体を説明するものとする。
まずＨ１０ｂは、図１８ａで示した第一発射体形状形成体Ｈ１０ａからイメージされ一体になるように形成された一体形成体であり、次にＨ２０ｂは、図１８ａで示した第二発射体形状形成体Ｈ２０ａからイメージされ一体になるように形成された一体形成体であり、また（Ｈ１０ｂ＋Ｈ２０ｂ）は、図１８ａで示した発射体使用拒絶体（Ｈ１０ａ＋Ｈ２０ａ）からイメージされ一体になるように形成された一体形成体としての発射体使用拒絶体である。
またこの実施例で示された考案の形成手段は、本願明細書中で記載された内容及び特に段落００３３に記載された内容の少なくとも一部を用いても構わないものとする。
【実施例３３】
【００６５】  次に図６と図１９を用いて、課題を解決するための第四の手段と課題を解決するための第五の手段で記載された発射体使用拒絶体の実施の形態の一例を説明する。まず、図１９の実施例で示された飛翔体使用拒絶体が形成される手段としては、図６で示した飛翔体形状形成体５０を２個用いて、飛翔体形状形成体Ａ５０と飛翔体形状形成体Ｂ５０で形成されるものとする。飛翔体形状形成体Ａ５０は、先端部Ａ５１と、本体部Ａ５２と、後端部Ａ５３で構成され、頭頂部Ａ５４は略半球体として形成され、材質は本明細書で記載した材質の中から選択すればよい。飛翔体形状形成体Ｂ５０は、先端部Ｂ５１と、本体部Ｂ５２と、後端部Ｂ５３で構成され、頭頂部Ｂ５４は略半球体として形成され、材質は本明細書で記載した材質の中から選択すればよい。
次に頭頂部Ａ５４と頭頂部Ｂ５４を当接手段を介して当接させ固着させた状態に形成することで、飛翔体形状形成体Ａ５０と飛翔体形状形成体Ｂ５０は武器や兵器として使用が出来ない状態である飛翔体使用拒絶体Ｔ４を形成するものとする。
また頭頂部Ａ５４と頭頂部Ｂ５４を圧接手段を介して圧接させ、このとき頭頂部Ａ５４と頭頂部Ｂ５４の圧接部位が変形した状態に見えるように形成し固着させた状態に形成することで、飛翔体形状形成体Ａ５０と飛翔体形状形成体Ｂ５０は武器や兵器として使用が出来ない状態である飛翔体使用拒絶体Ｔ５を形成することも選択できるものとする。
また頭頂部Ａ５４と頭頂部Ｂ５４を衝合手段を介して衝合させ、このとき頭頂部Ａ５４と頭頂部Ｂ５４の衝合部位が変形した状態に見えるように形成し固着させた状態に形成することで、飛翔体形状形成体Ａ５０飛翔体形状形成体Ｂ５０は武器や兵器として使用が出来ない状態である飛翔体使用拒絶体Ｔ６を形成することも選択できるものとする。
またこの実施例で示された考案の形成手段は、本願明細書中で記載された内容及び特に段落００３３に記載された内容の少なくとも一部を用いても構わないものとする。
【実施例３４】
【００６６】  次に、図１９と図２０を用いて、課題を解決するための第四の手段と課題を解決するための第六の手段で記載された飛翔体使用拒絶体の実施の形態の一例を説明する。
まず図２０よりＦ４２は、例えば図１９で示した飛翔体使用拒絶体Ｔ４を模した形状からイメージされ図案化した飛翔体使用拒絶図案を示している。またＦ４３は、例えば図１９で示した飛翔体使用拒絶体Ｔ５を模した形状からイメージされ図案化した飛翔体使用拒絶図案を示している。またＦ４４は、例えば図１９で示した飛翔体使用拒絶体Ｔ６を模した形状からイメージされ図案化した飛翔体使用拒絶図案を示している。
次に図２０よりＦ４１は、飛翔体使用拒絶図案Ｆ４２や飛翔体使用拒絶図案Ｆ４３や飛翔体使用拒絶図案Ｆ４４を本明細書で記載した身飾具の一つとして形成させる手段の一つとしての身飾具基材であり、身飾具基材Ｆ４１は任意の厚さと任意形状で任意の素材で構わないが、この実施例での身飾具基材Ｆ４１の厚さに関しては、１μ〜１０ｍｍ程度が好ましく、この実施例での身飾具基材Ｆ４１の形状に関しては、平面体、曲面体、凹凸体、などの一般的に知られた幾何学形状が好ましく、この実施例での身飾具基材Ｆ４１の一例として、素材は金属類から選択し厚みが約１ｍｍ程度の円形の曲面体であることを選択している。
次に図２０よりＦ４０は、身飾具基材Ｆ４１に飛翔体使用拒絶図案Ｆ４２や飛翔体使用拒絶図案Ｆ４３や飛翔体使用拒絶図案Ｆ４４を形成させた飛翔体使用拒絶身飾具であり、飛翔体使用拒絶身飾具Ｆ４０を作製する手段に関しては、一般的に知られている成形手段や成型手段や印刷手段や染色手段や織物手段の中から選択し単独で用いたり組み合わせて用いても構わないものとする。
また図２０よりＦ４５は、円形体で形成された飛翔体使用拒絶身飾具Ｆ４０の内周の近傍に文字や記号や数字を組み合わせた情報欄であり、情報欄Ｆ４５には、「魔除け」とか「反戦」とか「平和」というイメージを感じさせる情報Ｆ４６を設けても構わないものとする。
また図２０の実施例では、飛翔体使用拒絶身飾具Ｆ４０のデザインとして、飛翔体使用拒絶図案Ｆ４２や飛翔体使用拒絶図案Ｆ４３や飛翔体使用拒絶図案Ｆ４４や情報欄Ｆ４５や情報Ｆ４６を組み合わせたデザインの一例として、交通標識の中の「禁止」を意味する標識を模したり標識に類似させたりすることを特徴とする。
【実施例３５】
【００６７】  また、身飾具基材Ｆ４１に関しては、一般的に知られている木材類や金属材料や合成樹脂材料や紙類や衣料用生地類や衣類などの中から選択して用いられ、単独の材料で作製されても組み合わされた材料で作製されても構わないものとする。
また、飛翔体使用拒絶身飾具Ｆ４０を一般的に知られている金属材料や木質材料や合成樹脂で製造する場合の一例としては、本願明細書中で記載された内容及び特に段落００３３に記載された内容の少なくとも一部を用いても構わないものとする。
また、身飾具基材Ｆ４１の素材に衣料用生地から選択し厚みが任意で形状がＴシャツ形状やワイシャツ形状やユニフォームやジャケット等の上着形状やネクタイ形状である場合であっても本考案では装身具として実施は可能である。
【実施例３６】
【００６８】  次に図６と図１９を用いて、課題を解決するための第四の手段と課題を解決するための第六の手段で記載された飛翔体使用拒絶体の実施の形態の一例として図２１で示された飛翔体使用拒絶体が形成される手段を説明する。まず、図６で示した飛翔体形状形成体５０を４個用いて、図２１で示したように夫々飛翔体形状形成体Ａ５０と飛翔体形状形成体Ｂ５０と飛翔体形状形成体Ｃ５０と飛翔体形状形成体Ｄ５０で本明細書で記載した略十字状に形成させるものとする。
次に図２１で示したように前記４体を用いて略十字状に形成させる手段の一つとして飛翔体形状形成体Ａ５０の頭頂部Ａ５４と飛翔体形状形成体Ｂ５０の頭頂部Ｂ５４と飛翔体形状形成体Ｃ５０の頭頂部Ｃ５４と飛翔体形状形成体Ｄ５０の頭頂部Ｄ５４を用いるものとする。なお前記４体の材質は本明細書で記載した材質の中から選択すればよい。
次に図２１より頭頂部Ａ５４と頭頂部Ｂ５４と頭頂部Ｃ５４と頭頂部Ｄ５４を前記略十字状に形成させた後に当接手段を介して当接させ固着させた状態に見えるように形成することで、飛翔体形状形成体Ａ５０と飛翔体形状形成体Ｂ５０と飛翔体形状形成体Ｃ５０と飛翔体形状形成体Ｄ５０は武器や兵器として使用が出来ない状態である飛翔体使用拒絶体Ｘ４を形成するものとする。
また図２１より頭頂部Ａ５４と頭頂部Ｂ５４と頭頂部Ｃ５４と頭頂部Ｄ５４を前記略十字状に形成させた後に圧接手段を介して圧接させ、このとき頭頂部Ａ５４と頭頂部Ｂ５４と頭頂部Ｃ５４と頭頂部Ｄ５４の圧接部位が変形した状態に見えるように形成し固着させた状態にすることで、飛翔体形状形成体Ａ５０と飛翔体形状形成体Ｂ５０と飛翔体形状形成体Ｃ５０と飛翔体形状形成体Ｄ５０は武器や兵器として使用が出来ない状態である飛翔体使用拒絶体Ｘ５を形成することも選択できるものとする。
また図２１より頭頂部Ａ５４と頭頂部Ｂ５４と頭頂部Ｃ５４と頭頂部Ｄ５４を前記略十字状に形成させた後に衝合手段を介して衝合させ固着したように見えるように形成し、さらに頭頂部Ａ５４と頭頂部Ｂ５４と頭頂部Ｃ５４と頭頂部Ｄ５４の衝合部位が変形した状態に見えるように形成し固着させた状態にすることで、飛翔体形状形成体Ａ５０と飛翔体形状形成体Ｂ５０と飛翔体形状形成体Ｃ５０と飛翔体形状形成体Ｄ５０は武器や兵器として使用が出来ない状態である飛翔体使用拒絶体Ｘ６を形成することも選択できるものとする。【００４０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００５１】  本考案の発射体形状類似体を使用した身飾具及び飛翔体形状類似体を使用した身飾具に関しては、身飾具やアクセサリーや装身具以外にも、身体に付着可能なものであれば応用できる。
【図面の簡単な説明】
【００５２】
【図１】本考案の実施の形態例を示す概略説明図である。
【図２】本考案の実施の形態例を示す概略説明図である。
【図３】本考案の実施の形態例を示す概略説明図である。
【図４】本考案の実施の形態例を示す概略説明図である。
【図５】本考案の実施の形態例を示す概略説明図である。
【図６】本考案の実施の形態例を示す概略説明図である。
【図７】本考案の実施の形態例を示す概略説明図である。
【図８】本考案の実施の形態例を示す概略説明図である。
【図９】本考案の実施の形態例を示す概略説明図である。
【図１０】本考案の実施の形態例を示す概略説明図である。
【図１１】本考案の実施の形態例を示す概略説明図である。
【図１２】本考案の実施の形態例を示す概略説明図である。
【図１３】本考案の実施の形態例を示す概略説明図である。
【図１４ａ】本考案の実施の形態例を示す概略説明図である。
【図１４ｂ】本考案の実施の形態例を示す概略説明図である。
【図１５ａ】本考案の実施の形態例を示す概略説明図である。
【図１５ｂ】本考案の実施の形態例を示す概略説明図である。
【図１６ａ】本考案の実施の形態例を示す概略説明図である。
【図１６ｂ】本考案の実施の形態例を示す概略説明図である。
【図１７ａ】本考案の実施の形態例を示す概略説明図である。
【図１７ｂ】本考案の実施の形態例を示す概略説明図である。
【図１８ａ】本考案の実施の形態例を示す概略説明図である。
【図１８ｂ】本考案の実施の形態例を示す概略説明図である。
【図１９】本考案の実施の形態例を示す概略説明図である。
【図２０】本考案の実施の形態例を示す概略説明図である。
【図２１】本考案の実施の形態例を示す概略説明図である。
【符号の説明】
【００５３】１０：発射体形状形成体，１１：先端部，１２：本体部，１３：後端部
２０：発射体形状形成体，２１：先端部，２２：本体部，２３：後端部，２４：頭頂部
３０：第一発射体形状形成体，３１：先端部，３２：本体部，３３：後端部
Ｃ１０：略十字状形成手段，Ｃ１１：開口部，Ｃ１２：開口部
Ｃ２０：略十字状形成手段，Ｃ２１：分離部，Ｃ２２：分離部，Ｃ２３：固着部，
Ｃ２４：固着部，（３０＋４０）：発射体使用拒絶体
４０：第二発射体形状形成体，４１：先端部，４２：本体部，４３：後端部
４２ａ：分離本体部，４２ｂ：分離本体部
Ｊ１０：発射体使用拒絶体，Ｊ１１：発射体形状形成体，Ｊ１２：発射体形状形成体
Ｊ１３：略十字状交差部
Ｆ１０：発射体使用拒絶身飾具，Ｆ１１：身飾具基材
Ｆ１２：発射体使用拒絶図案，Ｆ１３：発射体形状図案，Ｆ１４：発射体形状図案
Ｆ１５：略十字状交差部
５０：飛翔体形状形成体，５１：先端部，５２：本体部，５４：尾翼，５５：噴射部
５３後端部
６０：第一飛翔体形状形成体，６１：先端部，６２：本体部，６４：尾翼，
６５：噴射部，６３後端部，（６０＋７０）：飛翔体使用拒絶体
Ｃ３０：略十字状形成手段，Ｃ３１：開口部，Ｃ３２：開口部，Ｃ４３：固着部
Ｃ４０：略十字状形成手段，Ｃ４１：分離部，Ｃ４２：分離部，Ｃ４４：固着部
７０：第二飛翔体形状形成体，７１：先端部，７２：本体部，７３：後端部，
７４：尾翼，７５：噴射部７５，分離本体部７２ａ，分離本体部７２ｂ
Ｊ２０：飛翔体使用拒絶体，Ｊ２１：飛翔体形状形成体，Ｊ２２：飛翔体形状形成体
Ｊ２３：略十字状交差部
Ｆ２０：飛翔体使用拒絶身飾具，Ｆ２１：身飾具基材，Ｆ２２：飛翔体使用拒絶図案
Ｆ２３：飛翔体形状図案，Ｆ２４：飛翔体形状図案，Ｆ２５：略十字状交差部
Ａ２０：発射体形状形成体，Ａ２１：先端部，Ａ２２：本体部，Ａ２３：後端部，
Ａ２４：頭頂部
Ｂ２０：発射体形状形成体，Ｂ２１：先端部，Ｂ２２：本体部，Ｂ２３：後端部，
Ｂ２４：頭頂部
Ｔ１：発射体使用拒絶体，Ｔ２：発射体使用拒絶体，Ｔ３：発射体使用拒絶体
Ｆ３０：発射体使用拒絶身飾具，Ｆ３１：身飾具基材，Ｆ３５：情報欄，Ｆ３６：情報
Ｆ３２：発射体使用拒絶図案，Ｆ３３：発射体使用拒絶図案
Ｆ３４：発射体使用拒絶図案
Ｘ１：発射体使用拒絶体，Ｘ２：発射体使用拒絶体，Ｘ３：発射体使用拒絶体
Ｊ３０ａ：発射体使用拒絶体，Ｊ３０ｂ：発射体使用拒絶体，Ｊ３１ａ：発射体形状形成体
Ｊ３１ｂ：発射体形状形成体，Ｊ３３ａ：略十字状交差部，Ｊ３３ｂ：略十字状交差部
Ｊ３４ａ：円環体，Ｊ３４ｂ：円環体，Ｊ３５ａ：ケルト十字体，Ｊ３５ｂ：ケルト十字体
（Ｄ１０ａ＋Ｄ２０ａ）：発射体使用拒絶体，ＤＣ１：鉄十字体
Ｄ１０ａ：第一発射体形状形成体，Ｄ１２ａ：本体部
Ｄ２０ａ：第二発射体形状形成体，Ｄ２２ａ：本体部
Ｄ１０ｂ：一体形成体，Ｄ２０ｂ：一体形成体
（Ｄ１０ｂ＋Ｄ２０ｂ）：発射体使用拒絶体，ＤＣ２：鉄十字体
Ｄ３０ａ：第一飛翔体形状形成体，Ｄ３１ａ：先端部，Ｄ３２ａ：本体部，Ｄ３３ａ：後端部
Ｄ４０ａ：第二発射体形状形成体，Ｄ４１ａ：先端部，Ｄ４２ａ：本体部，Ｄ４３ａ：後端部
（Ｄ３０ａ＋Ｄ４０ａ）：飛翔体使用拒絶体，ＤＣ３：鉄十字体
（Ｈ１０ａ＋Ｈ２０ａ）：発射体使用拒絶体
Ｈ１０ａ：第一発射体形状形成体，Ｈ１１ａ：先端部，Ｈ１２ａ：本体部，Ｈ１３ａ：後端部
Ｈ２０ａ：第二発射体形状形成体，Ｈ２１ａ：先端部，Ｈ２２ａ：本体部，Ｈ２３ａ：後端部
Ｈ２４ａ：メッセージ部
（Ｈ１０ｂ＋Ｈ２０ｂ）：発射体使用拒絶体，Ｈ１０ｂ：一体形成体，Ｈ２０ｂ：一体形成体
Ａ５０：飛翔体形状形成体，Ｂ５０：飛翔体形状形成体
Ａ５１：先端部，Ａ５２：本体部，Ａ５３：後端部，Ａ５４：頭頂部
Ｂ５１：先端部，Ｂ５２：本体部，Ｂ５３：後端部，Ｂ５４：頭頂部
Ｔ４：飛翔体使用拒絶体，Ｔ５：飛翔体使用拒絶体，Ｔ６：飛翔体使用拒絶体
Ｆ４０：飛翔体使用拒絶身飾具，Ｆ４１：身飾具基材
Ｆ４２：飛翔体使用拒絶図案，Ｆ４３：飛翔体使用拒絶図案
Ｆ４４：飛翔体使用拒絶図案，Ｆ４５：情報欄，Ｆ４６：情報
Ｃ５０：飛翔体形状形成体，Ｃ５４：頭頂部
Ｄ５０：飛翔体形状形成体，Ｄ５４：頭頂部
Ｘ４：飛翔体使用拒絶体，Ｘ５：飛翔体使用拒絶体，Ｘ６：飛翔体使用拒絶体
【図１】
0003214782.tif 000003
【図２】
0003214782.tif 000004
【図３】
0003214782.tif 000005
【図４】
0003214782.tif 000006
【図５】
0003214782.tif 000007
【図６】
0003214782.tif 000008
【図７】
0003214782.tif 000009
【図８】
0003214782.tif 000010
【図９】
0003214782.tif 000011
【図１０】
0003214782.tif 000012
【図１１】
0003214782.tif 000013
【図１２】
0003214782.tif 000014
【図１３】
0003214782.tif 000015
【図１４ａ】
0003214782.tif 000016
【図１４ｂ】
0003214782.tif 000017
【図１５ａ】
0003214782.tif 000018
【図１５ｂ】
0003214782.tif 000019
【図１６ａ】
0003214782.tif 000020
【図１６ｂ】
0003214782.tif 000021
【図１７ａ】
0003214782.tif 000022
【図１７ｂ】
0003214782.tif 000023
【図１８ａ】
0003214782.tif 000024
【図１８ｂ】
0003214782.tif 000025
【図１９】
0003214782.tif 000026
【図２０】
0003214782.tif 000027
【図２１】
0003214782.tif 000028
【手続補正書】
【提出日】平成29年11月9日(2017.11.9)
【手続補正１】
【補正対象書類名】実用新案登録請求の範囲
【補正対象項目名】全文
【補正方法】変更
【補正の内容】
【実用新案登録請求の範囲】
【請求項１】
武器や兵器として用いられる発射体形状形成体を使用して形成した発射体使用拒絶体を使用した身飾具であって、前記発射体使用拒絶体が、少なくとも２つの前記発射体形状形成体を略十字状に交差させるように形成される、あるいは、前記発射体形状形成体が先端部と後端部で構成され、少なくとも２つの前記発射体形状形成体の先端部同士を、当接させた形状や圧接させた形状や衝合させた形状の中から選択または組合せることで形成される、ことを特徴とする発射体使用拒絶体を使用した身飾具。
【請求項２】
武器や兵器として用いられる飛翔体形状形成体を使用して形成した飛翔体使用拒絶体を使用した身飾具であって、前記飛翔体使用拒絶体が、少なくとも２つの前記飛翔体形状形成体を略十字状に交差させるように形成される、あるいは、前記飛翔体形状形成体が先端部と後端部で構成され、少なくとも２つの前記飛翔体形状形成体の先端部同士を、当接させた形状や圧接させた形状や衝合させた形状の中から選択または組合せることで形成される、ことを特徴とする、飛翔体使用拒絶体を使用した身飾具。